(57)【要約】【課題】遊技球が左右方向の両側から特定領域に向かうことができる遊技機において、左右方向の一方から特定領域に向かった遊技球が他方から飛び出してしまうのを抑制できるとともに、特定領域の近傍で球詰まりが生じるのを抑制できる遊技機を提供する。【解決手段】パチンコ遊技機には、第２始動入賞口１３ｂに左側から遊技球を導く第１傾斜面部２０５と、右側から遊技球を導く第２傾斜面部２０６とが設けられている。第１傾斜面部２０５と第２傾斜面部２０６とは、第２始動入賞口１３ｂ側の端部の高さが異なって形成されている。第２始動入賞口１３ｂ側の端部が下位に位置する第１傾斜面部２０５の上流側には、第１傾斜面部２０５を上流側に進行する遊技球を第２始動入賞口１３ｂに向けて再誘導する再誘導部２０５ｂが形成されている。【選択図】図５
2014018248.tif 000002
【特許請求の範囲】
【請求項１】
遊技領域に遊技球を発射することにより遊技が行われる遊技機であって、
前記遊技領域に設けられた特定領域の近傍に設けられ、該特定領域へ遊技球を誘導する誘導手段を備え、
前記誘導手段は、前記特定領域の左右方向のうち一方に配置され、該特定領域に向けて遊技球を流下させる第１傾斜面部と、前記特定領域の左右方向のうち他方に配置され、該特定領域に向けて遊技球を流下させる第２傾斜面部と、を有し、
前記第１傾斜面部の前記特定領域側の端部は、前記第２傾斜面部の該特定領域側の端部よりも下位に位置し、
前記第１傾斜面部の上流側には、前記第２傾斜面部を流下したが前記特定領域に流下せずに前記第１傾斜面部に移動して該第１傾斜面部を上流側に進行する遊技球を前記特定領域に向けて再誘導する再誘導部が形成されている、
ことを特徴とする遊技機。
【発明の詳細な説明】
【技術分野】
【０００１】
本発明は、遊技領域に遊技球を発射することにより遊技が行われる遊技機に関する。
【背景技術】
【０００２】
この種の遊技機として、遊技媒体である遊技球を発射装置によって遊技領域に発射し、遊技領域に設けられた特定領域としての入賞口などに遊技球が入賞すると、所定個の遊技球が景品（賞球）として遊技者に払い出されるものがある。この種の入賞口では、障害物や他の入賞口などが真上に配置され、遊技領域を流下する遊技球が左右方向から入賞口に向かうことで遊技球が入賞口に入賞できるものがある。この場合には、左右方向の一方から遊技球が勢いよく入賞口に向かうと、入賞口に入賞することなく、左右方向の他方から遊技球が飛び出してしまうことがある。このため、従来、入賞口に入賞しようとする遊技球の球圧によって入賞口側に回動する球飛び出し防止部材を設けた遊技機が提案されている（例えば、特許文献１参照）。
【先行技術文献】
【特許文献】
【０００３】
【特許文献１】特開２００８−４３３８９号公報
【発明の概要】
【発明が解決しようとする課題】
【０００４】
上記特許文献１に記載の遊技機にあっては、球飛び出し防止部材が遊技球の球圧によって回動していないときには、遊技球の入賞口への入口が遊技球の直径寸法よりも狭いので、球飛び出し防止部材によって遊技球が入賞口付近で詰まってしまう虞があった。
【０００５】
本発明は、このような問題点に着目してなされたもので、遊技球が左右方向の両側から特定領域に向かうことができる遊技機において、左右方向の一方から特定領域に向かった遊技球が他方から飛び出してしまうのを抑制できるとともに、特定領域の近傍で球詰まりが生じるのを抑制できる遊技機を提供することを目的とする。
【課題を解決するための手段】
【０００６】
前記課題を解決するために、本発明に係る遊技機は、
遊技領域（例えば遊技領域７など）に遊技球を発射することにより遊技が行われる遊技機（例えばパチンコ遊技機１など）であって、
前記遊技領域に設けられた特定領域（例えば第２始動入賞口１３ｂなど）の近傍に設けられ、該特定領域へ遊技球を誘導する誘導手段（例えば前面部材２００など）を備え、
前記誘導手段は、前記特定領域の左右方向のうち一方に配置され、該特定領域に向けて遊技球を流下させる第１傾斜面部（例えば第１傾斜面部２０５など）と、前記特定領域の左右方向のうち他方に配置され、該特定領域に向けて遊技球を流下させる第２傾斜面部と（例えば第２傾斜面部２０６など）、を有し、
前記第１傾斜面部の前記特定領域側の端部は、前記第２傾斜面部の該特定領域側の端部よりも下位に位置し（例えば第１傾斜面部２０５の誘導部２０５ａの右側端部が、第２傾斜面部２０６の左側端部よりも下位に形成されるなど）、
前記第１傾斜面部の上流側には、前記第２傾斜面部を流下したが前記特定領域に流下せずに前記第１傾斜面部に移動して該第１傾斜面部を上流側に進行する遊技球を前記特定領域に向けて再誘導する再誘導部（例えば例えば第１傾斜面部２０５の誘導部２０５ａの上流側に形成された再誘導部２０５ｂなど）が形成されている、
ことを特徴とする。
このような構成によれば、第１傾斜面部の特定領域側の端部は、第２傾斜面部の特定領域側の端部よりも下位に位置しているので、第１傾斜面部を流下する遊技球が特定領域に流下することなく第２傾斜面部の反対側から飛び出して落ちてしまうのを抑制することができる。また、第１傾斜面部と第２傾斜面部とは特定領域側の端部の高さが異なっているので、第１傾斜面部によって誘導される遊技球と、第２傾斜面部によって誘導される遊技球とが、特定領域の近傍で衝突するのを抑制することができる。さらに、特定領域側の端部が低い第１傾斜面部の上流側には、第２傾斜面部から第１傾斜面部に移動して第１傾斜面部を上流側に進行する遊技球を特定領域に向けて再誘導する再誘導部が形成されているので、第２傾斜面部を流下する遊技球が特定領域に流下することなく第１傾斜面部の反対側から飛び出して落ちてしまうのを抑制することができる。そして、誘導手段は、第１傾斜面部と第２傾斜面部とによって遊技球を誘導するので、特定領域近傍で球詰まりが生じるのも抑制することができる。
【０００７】
また、前記第１傾斜面部と前記第２傾斜面部とは、前記特定領域に向けての傾斜角度が互いに異なっていてもよい（例えば第１傾斜面部２０５の誘導部２０５ａの傾斜角度が、第２傾斜面部２０６の傾斜角度よりも小さく（緩やかに）形成されるなど）。
このような構成によれば、第１傾斜面部と第２傾斜面部とで特定領域に流下する遊技球の勢いを異ならせることができ、特定領域の近傍で球詰まりが生じるのを抑制することができる。
【０００８】
また、前記第１傾斜面部の再誘導部の上端と、前記第２傾斜面部の上端とは、高さが等しく形成されていてもよい（例えば第１傾斜面部２０５の再誘導部２０５ｂの上端の高さと、第２傾斜面部２０６の上端の高さが等しく形成されるなど）。
このような構成によれば、誘導手段へ向かう遊技球を左右方向の両側で等しく特定領域に誘導することができる。
【０００９】
また、前記誘導手段の前面には、前記第１傾斜面部と前記第２傾斜面部と前記特定領域とを覆う装飾部（例えば前面部材２００の装飾板部２００ａなど）が設けられていてもよい。
このような構成によれば、遊技球が誘導手段によって特定領域に誘導されたか否かを遊技者が視認しづらくすることができ、特定領域以外の部分である例えば遊技機における演出などに遊技者を注目させることができる。
【図面の簡単な説明】
【００１０】
【図１】パチンコ遊技機を示す正面図である。
【図２】可変入賞球装置近傍の構成を示す分解斜視図である。
【図３】前面部材を示す図であり、（ａ）は正面図、（ｂ）は背面図である。
【図４】第１始動入賞口や第２始動入賞口を示す断面図である。
【図５】可変入賞球装置近傍の遊技球の移動を示す図である。
【図６】可変入賞球装置の開放状態を示す斜視図である。
【図７】可変入賞球装置の内部構造を示す分解斜視図である。
【図８】（ａ）は可動板を示す斜視図、（ｂ）は平面図、（ｃ）は側面図、（ｄ）は（ｂ）のＡ−Ａ断面図である。
【図９】（ａ）は閉鎖状態の可変入賞球装置の断面図、（ｂ）は開放状態の可変入賞球装置の断面図である。
【図１０】図９（ｂ）のＢ−Ｂ断面図である。
【図１１】図９（ｂ）のＣ−Ｃ断面図である。
【図１２】可変入賞球装置の遊技球の移動を説明するための図である。
【図１３】第１変形例としての可変入賞球装置の開放状態を示す斜視図である。
【図１４】（ａ）は第１変形例の可動板を示す斜視図、（ｂ）は平面図、（ｃ）は（ｂ）のＤ−Ｄ断面図、（ｄ）は（ｂ）のＥ−Ｅ断面図である。
【図１５】第１変形例における可変入賞球装置の遊技球の移動を説明するための図である。
【図１６】第２変形例としての可変入賞球装置の開放状態を示す斜視図である。
【図１７】第２変形例における可変入賞球装置の遊技球の移動を説明するための図である。
【図１８】（ａ）は第３変形例としての可動板を示す斜視図、（ｂ）は平面図、（ｃ）は（ｂ）のＦ−Ｆ断面図、（ｄ）は（ｂ）のＧ−Ｇ断面図である。
【図１９】（ａ）は第３変形例における開放状態の可変入賞球装置の断面図、（ｂ）は閉鎖状態の可変入賞球装置の断面図、（ｃ）はガイド溝を示す図である。
【発明を実施するための形態】
【００１１】
本発明の実施の形態について図面を参照して以下に説明する。
【００１２】
まず、遊技機の一例であるパチンコ遊技機１の全体の構成について説明する。図１はパチンコ遊技機１を正面からみた正面図である。この実施の形態のパチンコ遊技機１は、図１に示すように、主として縦長の方形枠状に形成された外枠に前面枠が開閉可能に取り付けられて構成されている。前面枠の前面には、ガラス扉枠１０２及び下扉枠１０３がそれぞれ左側辺を中心に開閉可能に設けられている。
【００１３】
下扉枠１０３の下部表面には打球供給皿（上皿）３がある。打球供給皿３の下部には、打球供給皿３に収容しきれない遊技球を貯留する余剰球受皿４（下皿）や、打球を発射する打球操作ハンドル（操作ノブ）５が設けられている。また、ガラス扉枠１０２の背面には、遊技盤６が前面枠に対して着脱可能に取り付けられている。
【００１４】
遊技盤６は、遊技領域７が遊技盤６の盤面側に形成された透光性の合成樹脂材からなる盤面板（図示略）と、所定の厚み幅寸法を有する非透光性の合成樹脂材からなり、盤面板を取り付ける取付面が前面に設けられたスペーサ部材（図示略）と、から構成され、遊技盤６の背面側には、遊技盤６を背面から装飾する装飾ユニット（図示略）が遊技盤６に対して着脱可能に取り付けられている。
【００１５】
遊技盤６の中央付近には、それぞれが演出用の飾り図柄（演出図柄）を可変表示する複数の可変表示部を含む演出表示装置（飾り図柄表示装置）９が設けられている。演出表示装置９には、例えば「左」、「中」、「右」の３つの可変表示部（図柄表示エリア）がある。演出表示装置９は、第１特別図柄表示器８ａまたは第２特別図柄表示器８ｂによる特別図柄の可変表示期間中に、装飾用（演出用）の図柄としての演出図柄の可変表示を行う。演出図柄の可変表示を行う演出表示装置９は、図示しない演出制御用マイクロコンピュータによって制御される。
【００１６】
この実施の形態のパチンコ遊技機１では、遊技領域７は、演出表示装置９を中心として主に左側及び下側に形成されており、打球発射装置から打ち出された遊技球は演出表示装置９の左側を流下して下方に向かうようになっている。
【００１７】
遊技盤６における右側下部位置には、第１識別情報としての第１特別図柄を可変表示する第１特別図柄表示器（第１可変表示手段）８ａが設けられている。この実施の形態では、第１特別図柄表示器８ａは、０〜９の数字を可変表示可能な簡易で小型の表示器（例えば７セグメントＬＥＤ）で実現されている。すなわち、第１特別図柄表示器８ａは、０〜９の数字（または、記号）を可変表示するように構成されている。また、第１特別図柄表示器８ａの上方位置には、第２識別情報としての第２特別図柄を可変表示する第２特別図柄表示器（第２可変表示手段）８ｂが設けられている。第２特別図柄表示器８ｂは、０〜９の数字を可変表示可能な簡易で小型の表示器（例えば７セグメントＬＥＤ）で実現されている。すなわち、第２特別図柄表示器８ｂは、０〜９の数字（または、記号）を可変表示するように構成されている。
【００１８】
この実施の形態では、第１特別図柄の種類と第２特別図柄の種類とは同じ（例えば、ともに０〜９の数字）であるが、種類が異なっていてもよい。また、第１特別図柄表示器８ａおよび第２特別図柄表示器８ｂは、それぞれ、例えば２つの７セグメントＬＥＤ等を用いて００〜９９の数字（または、２桁の記号）を可変表示するように構成されていてもよい。
【００１９】
以下、第１特別図柄と第２特別図柄とを特別図柄と総称することがあり、第１特別図柄表示器８ａと第２特別図柄表示器８ｂとを特別図柄表示器と総称することがある。
【００２０】
第１特別図柄の可変表示は、可変表示の実行条件である第１始動条件が成立（例えば、遊技球が第１始動入賞口１３ａに入賞したこと）した後、可変表示の開始条件（例えば、保留記憶数が０でない場合であって、第１特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。また、第２特別図柄の可変表示は、可変表示の実行条件である第２始動条件が成立（例えば、遊技球が第２始動入賞口１３ｂに入賞したこと）した後、可変表示の開始条件（例えば、保留記憶数が０でない場合であって、第２特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。なお、入賞とは、入賞口などのあらかじめ入賞領域として定められている領域に遊技球が入ったことである。また、表示結果を導出表示するとは、図柄（識別情報の例）を最終的に停止表示させることである。
【００２１】
演出表示装置９は、第１特別図柄表示器８ａでの第１特別図柄の可変表示時間中、および第２特別図柄表示器８ｂでの第２特別図柄の可変表示時間中に、装飾用（演出用）の図柄としての演出図柄（飾り図柄ともいう）の可変表示を行う。第１特別図柄表示器８ａにおける第１特別図柄の可変表示と、演出表示装置９における演出図柄の可変表示とは同期している。また、第２特別図柄表示器８ｂにおける第２特別図柄の可変表示と、演出表示装置９における演出図柄の可変表示とは同期している。同期とは、可変表示の開始時点および終了時点がほぼ同じ（全く同じでもよい。）であって、可変表示の期間がほぼ同じ（全く同じでもよい。）であることをいう。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組み合せが停止表示される。
【００２２】
演出表示装置９の下方には、第１始動入賞口１３ａを有する入賞装置が設けられている。第１始動入賞口１３ａに入賞した遊技球は、遊技盤６の背面に導かれ、第１始動口スイッチ１４ａ（例えば、近接スイッチやフォトセンサ）によって検出される。
【００２３】
また、第１始動入賞口（第１始動口）１３ａを有する入賞装置の下側には、遊技球が入賞可能な第２始動入賞口１３ｂを有する可変入賞球装置１５が設けられている。第２始動入賞口（第２始動口）１３ｂに入賞した遊技球は、遊技盤６の背面に導かれ、第２始動口スイッチ１４ｂによって検出される。可変入賞球装置１５は、ソレノイド１６によって開状態とされる（後述の図９参照）。可変入賞球装置１５が開状態になることによって、遊技球が第２始動入賞口１３ｂに入賞可能になり（始動入賞し易くなり）、遊技者にとって有利な状態になる。可変入賞球装置１５が開状態になっている状態では、第１始動入賞口１３ａよりも、第２始動入賞口１３ｂに遊技球が入賞しやすい。また、可変入賞球装置１５が閉状態になっている状態では、遊技球は第２始動入賞口１３ｂに入賞しない。なお、可変入賞球装置１５が閉状態になっている状態において、入賞はしづらいものの、入賞することは可能である（すなわち、遊技球が入賞しにくい）ように構成されていてもよい。
【００２４】
また、第１始動入賞口１３ａや第２始動入賞口１３ｂには、第１始動口スイッチ１４ａや第２始動口スイッチ１４ｂと異なる図示しない確認スイッチが設けられ、この確認スイッチの検出結果にもとづいて異常入賞の発生の有無が判定され、異常入賞の発生を検出したことにもとづいてセキュリティ信号が外部出力される。
【００２５】
以下、第１始動入賞口１３ａと第２始動入賞口１３ｂとを総称して始動入賞口または始動口ということがある。
【００２６】
可変入賞球装置１５が開放状態に制御されているときには可変入賞球装置１５に向かう遊技球は第２始動入賞口１３ｂに極めて入賞しやすい。そして、第１始動入賞口１３ａは演出表示装置９の直下に設けられているが、演出表示装置９の下端と第１始動入賞口１３ａとの間の間隔をさらに狭めたり、第１始動入賞口１３ａの周辺で釘を密に配置したり、第１始動入賞口１３ａの周辺での釘配列を、遊技球を第１始動入賞口１３ａに導きづらくして、第２始動入賞口１３ｂの入賞率の方を第１始動入賞口１３ａの入賞率よりもより高くするようにしてもよい。
【００２７】
第２特別図柄表示器８ｂの上部には、第１始動入賞口１３ａに入った有効入賞球数すなわち第１保留記憶数（保留記憶を、始動記憶または始動入賞記憶ともいう。）を表示する第１特別図柄保留記憶表示部と、該第１特別図柄保留記憶表示部とは別個に設けられ、第２始動入賞口１３ｂに入った有効入賞球数すなわち第２保留記憶数を表示する第２特別図柄保留記憶表示部と、が設けられた例えば７セグメントＬＥＤからなる特別図柄保留記憶表示器１８が設けられている。第１特別図柄保留記憶表示部は、第１保留記憶数を入賞順に４個まで表示し、有効始動入賞がある毎に、点灯する表示器の数を１増やす。そして、第１特別図柄表示器８ａでの可変表示が開始される毎に、点灯する表示器の数を１減らす。また、第２特別図柄保留記憶表示部は、第２保留記憶数を入賞順に４個まで表示し、有効始動入賞がある毎に、点灯する表示器の数を１増やす。そして、第２特別図柄表示器８ｂでの可変表示が開始される毎に、点灯する表示器の数を１減らす。なお、この例では、第１始動入賞口１３ａへの入賞による始動記憶数及び第２始動入賞口１３ｂへの入賞による始動記憶数に上限数（４個まで）が設けられているが、上限数を４個以上にしてもよい。
【００２８】
また、演出表示装置９の表示画面には、第１保留記憶数を表示する第１保留記憶表示部９ａと、第２保留記憶数を表示する第２保留記憶表示部９ｂとが設けられている。なお、第１保留記憶数と第２保留記憶数との合計である合計数（合算保留記憶数）を表示する領域（合算保留記憶表示部）が設けられるようにしてもよい。そのように、合計数を表示する合算保留記憶表示部が設けられているようにすれば、可変表示の開始条件が成立していない実行条件の成立数の合計を把握しやすくすることができる。
【００２９】
なお、この実施の形態では、図１に示すように、第２始動入賞口１３ｂに対してのみ開閉動作を行う可変入賞球装置１５が設けられているが、第１始動入賞口１３ａおよび第２始動入賞口１３ｂのいずれについても開閉動作を行う可変入賞球装置が設けられている構成であってもよい。
【００３０】
また、図１に示すように、演出表示装置９の左側には、特別可変入賞球装置２０が設けられている。特別可変入賞球装置２０は大入賞口扉２０ｂを備え、第１特別図柄表示器８ａに特定表示結果（大当り図柄）が導出表示されたとき、および第２特別図柄表示器８ｂに特定表示結果（大当り図柄）が導出表示されたときに生起する特定遊技状態（大当り遊技状態）においてソレノイドによって大入賞口扉２０ｂが開放状態に制御されることによって、入賞領域となる大入賞口２０ａが開放状態になる。
【００３１】
大入賞口２０ａ内には、大入賞口２０ａ内に入賞した遊技球を検出可能なスイッチが設けられている。この実施の形態では、大入賞口２０ａへの遊技球の入賞がスイッチによって検出されたことに基づき、所定個数（例えば１５個）の遊技球が賞球として払い出される。こうして、特別可変入賞球装置２０において開放状態となった大入賞口２０ａを遊技球が通過（進入）したときには、例えば第１始動入賞口１３ａや第２始動入賞口１３ｂといった、他の入賞口を遊技球が通過（進入）したときよりも多くの賞球が払い出される。したがって、特別可変入賞球装置２０において大入賞口２０ａが開放状態となれば、遊技者にとって有利な第１状態（有利状態）となる。その一方で、特別可変入賞球装置２０において大入賞口２０ａが閉鎖状態となれば、大入賞口２０ａに遊技球を通過（進入）させて賞球を得ることができないため、遊技者にとって不利な第２状態（不利状態）となる。
【００３２】
第１特別図柄表示器８ａの下側には、普通図柄表示器１０が設けられている。普通図柄表示器１０は、例えば２つのランプからなる。遊技球がゲート３２を通過しゲートスイッチ３２ａで検出されると、普通図柄表示器１０の表示の可変表示が開始される。この実施の形態では、左右のランプ（点灯時に図柄が視認可能になる）が交互に点灯することによって可変表示が行われ、例えば、可変表示の終了時に左側のランプが点灯すれば当りとなる。そして、普通図柄表示器１０の左側のランプが点灯して当りである場合に、可変入賞球装置１５が所定回数、所定時間だけ開放状態になる。すなわち、可変入賞球装置１５の状態は、下側のランプが点灯して当りである場合に、遊技者にとって不利な状態から有利な状態（第２始動入賞口１３ｂに遊技球が入賞可能な状態）に変化する。特別図柄保留記憶表示器１８の上部には、ゲート３２を通過した入賞球数を表示する４つの表示部（例えば、７セグメントＬＥＤのうち４つのセグメント）を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯する表示部を１増やす。そして、普通図柄表示器１０の可変表示が開始される毎に、点灯する表示部を１減らす。
【００３３】
なお、７セグメントＬＥＤからなる普通図柄保留記憶表示器４１には、ゲート３２を通過した入賞球数を表示する４つの表示部（セグメント）とともに、例えば大当り時における特別可変入賞球装置２０の開放回数（大当りラウンド数）を示す２つの表示部（セグメント）、及び遊技状態を示す２つの表示部（セグメント）が設けられているが、これら表示部を普通図柄保留記憶表示部とは別個の表示器にて構成してもよい。また、普通図柄表示器１０は、普通図柄と呼ばれる複数種類の識別情報（例えば、「○」および「×」）を可変表示可能なセグメントＬＥＤ等にて構成してもよい。
【００３４】
特別可変入賞球装置２０の周辺には普通入賞装置の入賞口２９ａ，２９ｂが設けられ（後述の図４参照）、入賞口２９ａ，２９ｂに入賞した遊技球は図示しない入賞口スイッチによって検出される。各入賞口２９ａ，２９ｂは、遊技球を受け入れて入賞を許容する領域として遊技盤６に設けられる入賞領域を構成している。なお、第１始動入賞口１３ａ、第２始動入賞口１３ｂや大入賞口２０も、遊技球を受け入れて入賞を許容する入賞領域を構成する。なお、この実施の形態では、第２始動入賞口１３ｂが「特別領域」に当たる。
【００３５】
遊技領域７の左側には、遊技中に点滅表示される装飾ＬＥＤ２５ａを有する装飾部材２５が設けられ、下部には、入賞しなかった遊技球を吸収するアウト口２６がある。また、遊技領域７の外側の左右上下部には、効果音を発する４つのスピーカ２７が設けられている。遊技領域７の外周には、天枠ランプ２８ａ、左枠ランプ２８ｂおよび右枠ランプ２８ｃが設けられている。天枠ランプ２８ａ、左枠ランプ２８ｂおよび右枠ランプ２８ｃおよび装飾ＬＥＤ２５ａは、遊技機に設けられている装飾発光体の一例である。
【００３６】
図１では、図示を省略しているが、左枠ランプ２８ｂの近傍に、賞球払出中に点灯する賞球ランプが設けられ、天枠ランプ２８ａの近傍に、補給球が切れたときに点灯する球切れランプが設けられている。なお、賞球ランプおよび球切れランプは、賞球の払出中である場合や球切れが検出された場合に、演出制御基板に搭載された演出制御用マイクロコンピュータによって点灯制御される。なお、特に図示はしないが、プリペイドカードが挿入されることによって球貸しを可能にするプリペイドカードユニットが、パチンコ遊技機１に隣接して設置されていてもよい。
【００３７】
遊技者の操作により、打球発射装置から発射された遊技球は、発射球案内通路（図示略）を通って遊技領域７に入り、その後、遊技領域７を下りてくる。遊技球が第１始動入賞口１３ａに入り第１始動口スイッチ１４ａで検出されると、第１特別図柄の可変表示を開始できる状態であれば（例えば、特別図柄の可変表示が終了し、第１の開始条件が成立したこと）、第１特別図柄表示器８ａにおいて第１特別図柄の可変表示（変動）が開始されるとともに、演出表示装置９において演出図柄（飾り図柄）の可変表示が開始される。すなわち、第１特別図柄および演出図柄の可変表示は、第１始動入賞口１３ａへの入賞に対応する。第１特別図柄の可変表示を開始できる状態でなければ、第１保留記憶数が上限値に達していないことを条件として、第１保留記憶数を１増やす。
【００３８】
遊技球が第２始動入賞口１３ｂに入り第２始動口スイッチ１４ｂで検出されると、第２特別図柄の可変表示を開始できる状態であれば（例えば、特別図柄の可変表示が終了し、第２の開始条件が成立したこと）、第２特別図柄表示器８ｂにおいて第２特別図柄の可変表示（変動）が開始されるとともに、演出表示装置９において演出図柄（飾り図柄）の可変表示が開始される。すなわち、第２特別図柄および演出図柄の可変表示は、第２始動入賞口１３ｂへの入賞に対応する。第２特別図柄の可変表示を開始できる状態でなければ、第２保留記憶数が上限値に達していないことを条件として、第２保留記憶数を１増やす。
【００３９】
第１特別図柄表示器８ａにおける第１特別図柄の可変表示及び第２特別図柄表示器８ｂにおける第２特別図柄の可変表示は、一定時間が経過したときに停止する。停止時の特別図柄（停止図柄）が大当り図柄（特定表示結果）であると「大当り」となり、停止時の特別図柄（停止図柄）が大当り図柄及び小当り図柄とは異なる特別図柄が停止表示されれば「ハズレ」となる。
【００４０】
特図ゲームでの可変表示結果が「大当り」になった後には、遊技者にとって有利なラウンド（「ラウンド遊技」ともいう）を所定回数実行する特定遊技状態としての大当り遊技状態に制御される。
【００４１】
この実施の形態では、特図ゲームにおける確定特別図柄が「大当り」に対応する大当り図柄が停止表示された場合には、多ラウンド特定遊技状態としての大当り状態（１５ラウンド大当り状態）に移行する。大当り遊技状態（１５ラウンド大当り状態）では、特別可変入賞球装置２０の大入賞口扉２０ｂが、第１期間となる所定期間（例えば２９．５秒間）あるいは所定個数（例えば８個）の入賞球が発生するまでの期間にて大入賞口２０ａを開放状態とすることにより、特別可変入賞球装置２０を遊技者にとって有利な第１状態（開放状態）に変化させるラウンドが実行される。こうしてラウンドの実行中に大入賞口２０ａを開放状態とした大入賞口扉２０ｂは、遊技盤６の表面を落下する遊技球を受け止め、その後に大入賞口２０ａを閉鎖状態とすることにより、特別可変入賞球装置２０を遊技者にとって不利な第２状態（閉鎖状態）に変化させて、１回のラウンドを終了させる。このような１５ラウンド大当り状態では、大入賞口に遊技球が入賞するたびに１５個の出玉（賞球）が得られる。
【００４２】
また、「大当り」に対応する大当り図柄が特図ゲームにおける確定特別図柄として停止表示されたことに基づき大当り状態が終了した後には、特別遊技状態の１つとして、通常状態に比べて特図ゲームにおける特別図柄の可変表示時間（特図変動時間）が短縮される時間短縮制御（時短制御）が行われる時短状態に制御される。ここで、通常状態とは、大当り遊技状態等の特定遊技状態や時短状態とは異なる遊技状態としての通常遊技状態であり、パチンコ遊技機１の初期設定状態（例えばシステムリセットが行われた場合のように、電源投入後に初期化処理を実行した状態）と同一の制御が行われる。時短状態は、所定回数（例えば３０回）の特図ゲームが実行されることと、可変表示結果が「大当り」となることのうち、いずれかの条件が先に成立したときに終了すればよい。また、大当り状態が終了した後には、時短状態とは異なる特別遊技状態の１つとして、例えば通常状態に比べて特図変動時間が短縮される時短制御とともに、確率変動制御（確変制御）が行われる確変状態（高確率状態）に制御されてもよい。この確変状態では、各特図ゲームや飾り図柄の可変表示において、可変表示結果が「大当り」となって更に大当り遊技状態に制御される確率が、通常状態や時短状態よりも高くなるように向上する。このような確変状態は、特図ゲームの実行回数にかかわりなく、次に可変表示結果が「大当り」となるまで継続する。
【００４３】
確変状態や時短状態では、普通図柄表示器１０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく可変入賞球装置１５における可動板１５ｄの進出動作を行う解放制御時間を通常状態のときよりも長くする制御、その解放回数を通常状態のときよりも増加させる制御といった、遊技球が第２始動入賞口１３ｂを通過（進入）しやすくして第２始動条件が成立する可能性を高めることで遊技者にとって有利となる制御が行われる。なお、確変状態や時短状態では、これらの制御のいずれか１つが行われるようにしてもよいし、複数の制御が組み合せられて行われるようにしてもよい。このように、確変状態や時短状態において第２始動入賞口１３ｂに遊技球が進入しやすくして遊技者にとって有利となる制御は、高開放制御ともいう。高開放制御が行われることにより、第２始動入賞口１３ｂは、高開放制御が行われていないときよりも拡大開放状態となる頻度が高められる。これにより、第２特別図柄表示器８ｂにおける第２特図を用いた特図ゲームを実行するための第２始動条件が成立しやすくなり、特図ゲームが頻繁に実行可能となることで、次に可変表示結果が「大当り」となるまでの時間が短縮される。したがって、確変状態や時短状態では、通常状態に比べて大当り遊技状態となりやすくなる。高開放制御が実行可能となる期間は、高開放制御期間ともいい、この期間は、パチンコ遊技機１における遊技状態が確変状態と時短状態のいずれかに制御されている期間と同一であればよい。また、高開放制御期間であるときには、遊技状態が高ベース中であるともいう。これに対して、高開放制御期間でないときには、遊技状態が低ベース中であるともいう。この実施の形態における時短状態は、低確高ベース状態とも称される遊技状態であり、通常状態は、低確低ベース状態とも称される遊技状態であり、確変状態は、高確高ベース状態とも称される遊技状態である。
【００４４】
演出表示装置９に設けられた「左」、「中」、「右」の飾り図柄表示エリアでは、第１特別図柄表示器８ａにおける第１特図を用いた特図ゲームと、第２特別図柄表示器８ｂにおける第２特図を用いた特図ゲームとのうち、いずれかの特図ゲームが開始されることに対応して、飾り図柄の可変表示（変動表示）が開始される。そして、飾り図柄の可変表示が開始されてから「左」、「中」、「右」の各飾り図柄表示エリアにおける確定飾り図柄の停止表示により可変表示が終了するまでの期間では、飾り図柄の可変表示状態が所定のリーチ状態となることがある。ここで、リーチ状態とは、演出表示装置９の表示領域にて仮停止表示された飾り図柄が大当り組み合せの一部を構成しているときに未だ仮停止表示もされていない飾り図柄（「リーチ変動図柄」ともいう）については変動が継続している表示状態、あるいは、全部又は一部の飾り図柄が大当り組み合せの全部又は一部を構成しながら同期して変動している表示状態のことである。具体的には、「左」、「中」、「右」の飾り図柄表示エリアにおける一部（例えば「左」及び「右」の飾り図柄表示エリアなど）では予め定められた大当り組み合せを構成する飾り図柄（例えば「７」の英数字を示す飾り図柄）が仮停止表示されているときに未だ仮停止表示もしていない残りの飾り図柄表示エリア（例えば「中」の飾り図柄表示エリアなど）では飾り図柄が変動している表示状態、あるいは、「左」、「中」、「右」の飾り図柄表示エリアにおける全部又は一部で飾り図柄が大当り組み合せの全部又は一部を構成しながら同期して変動している表示状態である。
【００４５】
次に、遊技領域７における可変入賞球装置１５近傍の構成について、図２〜図５に基づいて説明する。図２は、可変入賞球装置近傍の構成を示す分解斜視図である。図３は、前面部材を示す図であり、（ａ）は正面図、（ｂ）は背面図である。図４は、第１始動入賞口や第２始動入賞口を示す断面図である。図５は、可変入賞球装置近傍の遊技球の移動を示す図である。尚、以下の説明においては、パチンコ遊技機１の正面に対峙した状態を基準として上下左右方向を説明する。
【００４６】
図２及び図４に示すように、パチンコ遊技機１の右遊技領域７ｂでは、遊技盤６の盤面の一部を構成するベース部材２１０の前面に前面部材２００（誘導手段）が配設され、この前面部材２００の裏側に第１始動入賞口１３ａや第２始動入賞口１３ｂ、普通入賞装置の入賞口２９ａ，２９ｂが形成されている。つまり、この実施の形態では、可変入賞球装置１５の第２始動入賞口１３ｂは、半透明な前面部材２００によって覆われており、遊技者が直接に第２始動入賞口１３ｂを視認できないように構成されている（図１参照）。これにより、遊技球が第２始動入賞口１３ｂに入賞したか否かを遊技者が視認しづらくすることができ、可変入賞球装置１５以外の部分である例えば演出表示装置９などに遊技者を注目させることができる。
【００４７】
図２や図４に示すように、ベース部材２１０のベース板部２１０ａは、半透明の部材によって前面に装飾が施されており、図示しない発光ダイオードなどにより後方から照射されることでベース部材２１０や前面部材２００の装飾効果が高められるようになっている。ベース部材２１０には、第１始動入賞口１３ａや普通入賞装置の入賞口２９ａ，２９ｂとして複数の開口が形成され、第１始動入賞口１３ａの上方には、第１始動入賞口１３ａに入賞しない遊技球を左右に導くガイド部２１１が形成されるとともに、第１始動入賞口１３ａに進入する遊技球を検出する第１始動口スイッチ１４ａが配設されている。また、ベース部材２１０には、開口２１０ｂが盤面に形成され、この開口２１０ｂから前方に臨むように可変入賞球装置１５が後側から取り付けられている。なお、前面部材２００やベース部材２１０は、半透明の部材で形成されるものに限定されず、透明または不透明の部材で形成したり、一部だけ（例えば可変入賞球装置１５の周辺だけ）を透明または半透明の部材で形成して他を不透明の部材で形成してもよい。
【００４８】
前面部材２００の装飾板部２００ａは、図２や図３（ａ）に示すように、前面に装飾が施されており、後方には前面部材２００を補強するリブ２００ｂが放射状に形成されている。前面部材２００は、図示しない発光ダイオードなどにより遊技盤６の裏面側から照射されることで前面の装飾やリブ２００ｂが発光して装飾効果が高められるようになっている。前面部材２００の裏面側には、図３（ｂ）に示すように、遊技球を第１始動入賞口１３ａに導く樋部２０１と、遊技球を普通入賞球装置の入賞口２９ａ，２９ｂに導く樋部２０２，２０３と、遊技球を第２始動入賞口１３ｂに導く第１斜面部２０５及び第２斜面部２０６とが形成されている。
【００４９】
樋部２０１〜２０３のそれぞれは、第１始動入賞口１３ａと普通入賞球装置の入賞口２９ａ，２９ｂに対応する位置に設けられて、遊技領域７を流下する遊技球を受け止めて入賞口に案内する（図４参照）。樋部２０１〜２０３の前方側には、前方に向けて上側に傾斜する傾斜部２０１ａ〜２０３ａが設けられており、樋部２０１〜２０３に受け止められた遊技球が遊技盤面６の裏側に向けて移動しやすくなっている。
【００５０】
図４に示すように、第１傾斜面部２０５は、第２始動入賞口１３ｂの上方左側に設けられ、第２傾斜面部２０６は、第２始動入賞口１３ｂの上方右側に設けられている。この実施の形態では、第２始動入賞口１３ｂの真上には、第１始動入賞口１３ａが設けられており、遊技球は、左側または右側から第２始動入賞口１３ｂに向かって流下することによって、第２始動入賞口１３ｂに入賞可能に構成されている。そして、第１傾斜面部２０５と第２傾斜面部２０６のそれぞれは、第２始動入賞口１３ｂに向かって下方向に傾斜しており、遊技領域７を流下する遊技球を左右方向から第２始動入賞口１３ｂに誘導する。
【００５１】
第１傾斜面部２０５は、第２始動入賞口１３ｂの左上側に配設され、第２始動入賞口１３ｂ側（内側）に向かって下方向に緩やかに（例えば傾斜角度が数度など）傾斜する誘導部２０５ａと、誘導部２０５ａの上流側に形成される再誘導部２０５ｂとを有する。誘導部２０５ａは、第２始動入賞口１３ｂ側（内側）の端部が、第２傾斜面部２０６の第２始動入賞口１３ｂ側（内側）の端部よりも下位に形成されている（低くなっている）。再誘導部２０５ｂは、誘導部２０５ａの上流側に連続して形成されており、内側に向かって下方向に、且つ誘導部２０５ａよりも大きい傾斜角度（例えば５０度や６０度など）に形成されている。また、再誘導部２０５ｂは、内側（右側）から外側（左側）までの高さが遊技球の球半径Ｒよりも大きく形成されている。
【００５２】
第２傾斜面部２０６は、第２始動入賞口１３ｂの右上側に配設され、第２始動入賞口１３ｂ側（内側）に向かって下方向に、且つ第１傾斜面部２０５の誘導部２０５ａよりも大きい傾斜角度（例えば１０度や２０度など）に形成されている。第２傾斜面部２０６は、第２始動入賞口１３ｂ側（内側）の端部が、第１傾斜面部２０５の第２始動入賞口１３ｂ側（内側）の端部よりも上位に形成されている（高くなっている）。また、第２傾斜面部２０６の上端（外側の端部）は、第１傾斜面部２０５の再誘導部２０５ｂの上端（外側の端部）と高さが略等しく形成されている。
【００５３】
この実施の形態のパチンコ遊技機１では、第２始動入賞口１３ｂの真上に第１始動入賞口１３ａが配設されている。このため、図５（ａ）に示すように、第２始動入賞口１３ｂには、真上から直接に遊技球が流下して向かうことができず（Ａ参照）、第１傾斜面部２０５に誘導されて左側から第２始動入賞口１３ｂに向かうか（Ｂ参照）、第２傾斜面部２０６に誘導されて右側から第２始動入賞口１３ｂに向かうことで（Ｃ参照）、可変入賞球装置１５が解放状態のときには、第２始動入賞口１３ｂに遊技球が入賞可能となる。この実施の形態では、第１傾斜面部２０５の再誘導部２０５ｂの上流側（外側）の端部と、第２傾斜面部２０６の上流側（外側）の端部とは、高さが略等しく形成されているので、遊技領域７を流下する遊技球を左右方向の両側から等しく第２始動入賞口１３ｂに誘導することができる。
【００５４】
ここで、遊技球を左側から導く第１傾斜面部２０５の右側（内側）の端部は、遊技球を右側から導く第２傾斜面部２０６の左側（内側）の端部よりも下位に位置しているので、もし第１傾斜面部２０５を勢いよく遊技球が進行しても、第２傾斜面部２０６の端部に衝突して第２始動入賞口１３ｂに向けて流下し、第２傾斜面部２０６の反対側（右側）の端部から遊技球が飛び出してしまうのを抑制することができる。
【００５５】
また、もし第２傾斜面部２０６を勢いよく遊技球が進行して、第２始動入賞口１３ｂに流下することなく第１傾斜面部２０５に移動し、第１傾斜面部２０５の誘導部２０５ａを上流側に進行した場合にも（図５（ｂ）中Ｃ’参照）、第１傾斜面部２０５の誘導部２０５ａの上流側には傾斜角度の大きな再誘導部２０５ｂが形成されているので、遊技球は、再誘導部２０５ｂに衝突して、再び第１傾斜面部２０５の誘導部２０５ａに誘導されて第２始動入賞口１３ｂに向かう（図５（ｃ）中Ｃ’参照）。
【００５６】
以上説明したように、本発明の実施の形態のパチンコ遊技機１では、左側から第２始動
導入賞口１３ｂに遊技球を誘導する第１傾斜面部２０５の右側（内側）の端部は、右側から遊技球を誘導する第２傾斜面部２０６の左側（内側）の端部よりも下位に位置しているので、第１傾斜面部２０５を流下する遊技球が第２始動入賞口１３ｂに流下することなく第２傾斜面部２０６の反対側から飛び出してしまうのを抑制することができる。また、第１傾斜面部２０５と第２傾斜面部２０６とは、第２始動入賞口１３ｂ側（内側）の端部の高さが異なっているので、第１傾斜面部２０５によって誘導される遊技球と、第２傾斜面部２０６によって遊技球が衝突するのを抑制することができる。さらに、第１傾斜面部２０５の上流側には、第２傾斜面部２０６から第１傾斜面部２０５に移動して第１傾斜面部２０５を上流側に進行する遊技球を第２始動入賞口１３ｂに向けて再誘導する再誘導部２０６が形成されているので、第２傾斜面部２０６を流下する遊技球が第２始動入賞口１３ｂに流下することなく第１傾斜面部２０５の反対側から飛び出してしまうのを抑制することができる。そして、このように傾斜面によって遊技球を誘導することにより、第２始動入賞口１３ｂ近傍で球詰まりが生じるのも抑制することができる。
【００５７】
しかも、この実施の形態では、第１傾斜面部２０５の誘導部２０５ａの傾斜角度が、第２傾斜面部２０６の傾斜角度がよりも小さく（緩やかに）形成されているので、第１傾斜面部２０５により誘導されて第２始動入賞口１３ｂに向かう遊技球の勢いと、第２傾斜面部２０６により誘導されて第２始動入賞口１３ｂに向かう遊技球の勢いとを異ならせることができ、第２始動入賞口１３ｂの近傍で球詰まりが生じるのを抑制することができる。
【００５８】
また、第１傾斜面部２０５の再誘導部２０５ｂの上端の高さと、第２傾斜面部２０６の上端の高さとが等しく形成されているので、遊技領域７を流下する遊技球を左右方向の両側から等しく第２始動入賞口１３ｂに誘導することができる。
【００５９】
また、第１傾斜面部２０５と第２傾斜面部２０６と第２始動入賞口１３ｂとを前方から覆う装飾板部２００ａが配設されているので、第２始動入賞口１３ｂに向かう遊技球を視認しづらくすることができる。これにより、例えば、第２始動入賞口１３ｂへの入賞に伴って付与される遊技価値が、第１始動入賞口１３ａへの入賞に伴って付与される遊技価値によりも大きい場合などに、可変入賞球装置１５（第２始動入賞口１３ｂ）が開放状態となっているときにだけ、打球発射装置による遊技球の発射がなされるのを抑制することができる。また、例えば、第１始動入賞口１３ａへの入賞に伴う第１特別図柄表示器８ａにおける第１特図の可変表示と、第２始動入賞口１３ｂへの入賞に伴う第２特別図柄表示器８ｂにおける第２特図の可変表示とが、同時に行われる場合などに、可変入賞球装置１５が開放状態となっているときにだけ、第２始動入賞口１３ｂに向けての遊技球の発射がなされるのを抑制することができる。つまり、第１傾斜面部２０５と第２傾斜面部２０６と第２始動入賞口１３ｂとを前方から覆う装飾板部２００ａが配設されていることにより、可変入賞球装置１５以外の部分である例えば演出表示装置９などに遊技者を注目させて遊技の興趣を向上させることができる。
【００６０】
なお、第２始動入賞口１３ｂへの入賞に伴って付与される遊技価値が、第１始動入賞口１３ａへの入賞に伴って付与される遊技価値によりも大きい場合としては、例えば、第２始動入賞口１３ｂへの入賞によって第２特別図柄表示装置８ｂにおいて変動（可変表示）が行われる場合には、ラウンドが１５回行われる１５ラウンドの大当り遊技状態になりやすく、第１始動入賞口８ａへの入賞によって第１特別図柄表示装置８ａにおいて変動（可変表示）が行われる場合には、ラウンド数が少ない（例えば７ラウンドなど）大当り遊技状態になりやすいものが挙げられる。また、第２特別図柄表示装置８ｂにおいて変動が行われる場合には、第１特別図柄表示装置８ａにおいて変動が行われる場合よりも、確変状態（高確率状態）への変更を伴う大当り遊技状態になりやすいもの、また、高開放制御が実行可能となる高開放制御期間が長い大当り遊技状態になりやすいものであってもよい。さらに、第２特別図柄表示装置８ｂにおいて変動が行われる場合には、第１特別図柄表示装置８ａにおいて変動が行われる場合よりも、遊技状態の変更を伴わない小当り遊技状態になりにくいものなどであってもよい。
【００６１】
上述した実施の形態では、第１傾斜面部２０５の上流側に、再誘導部２０５ｂとして誘導部２０５ａよりも傾斜角度が急な傾斜面部が形成されるものとしたが、再誘導部２０５ｂとして、階段状の傾斜面部が形成されてもよいし、曲面状の傾斜面部が形成されてもよい。また、再誘導部２０５ｂとして、第１傾斜面部２０５を上流側に向けて移動する遊技球が当接するように、誘導部２０５ａの上流側にピン状の突起が形成されてもよいし、垂直な壁面が形成されるなどとしてもよい。
【００６２】
また、この実施の形態では、第１傾斜面部２０５や第２傾斜面部２０６は、前面部材２００の裏面に一体として形成されるものとしたが、ベース部材２１０の前面に一体として形成されるものとしてもよい。また、第１傾斜面部２０５や第２傾斜面部２０６は、それぞれに独立した部材として形成されて前面部材２００やベース部材２１０に取り付けられてもよい。また、第１傾斜面部２０５や第２傾斜面部２０６は、装飾板部２００ａに覆われるものに限定されず、装飾板部２００ａを有しないものとしてもよい。
【００６３】
また、この実施の形態では、可変入賞球装置１５の上方左側に第１傾斜面部２０５が形成されるとともに、上方右側に第２傾斜面部２０６が形成されるものとしたが、上方右側に第１傾斜面部２０５が形成されるとともに、上方左側に第２傾斜面部２０６が形成されてもよい。
【００６４】
また、この実施の形態では、第１傾斜面部２０５や第２傾斜面部２０６は、特定領域として可変入賞球装置１５に向けて遊技球を誘導するように構成されるものとしたが、こうした例に限定されず、特定領域として例えば特別可変入賞球装置２０や普通入賞球装置などに遊技球を誘導するものとしてもよい。
【００６５】
次に、第２始動入賞口１３ｂを構成する可変入賞球装置１５について、図６〜図１２に基づいて説明する。図６は、特別可変入賞球装置の開放状態を示す斜視図である。図７は、可変入賞球装置の内部構造を示す分解斜視図である。図８は、（ａ）は可動板を示す斜視図、（ｂ）は平面図、（ｃ）は側面図、（ｄ）は（ｂ）のＡ−Ａ断面図である。図９は、（ａ）は開放状態の可変入賞球装置の断面図、（ｂ）は閉鎖状態の可変入賞球装置の断面図である。図１０は、図９（ｂ）のＣ−Ｃ断面図である。図１１は、図９（ｂ）のＤ−Ｄ断面図である。図１２は、特別可変入賞球装置の遊技球の移動を説明するための図である。
【００６６】
図６及び図７に示すように、可変入賞球装置１５は、前面に遊技球が進入可能な第２始動入賞口１３ｂが形成された本体部３００と、本体部３００の外側を覆うように配設される透光性を有する合成樹脂材からなるカバー部材３０１と、本体部３００内に設けられるソレノイド１６と、ソレノイド１６の動力を伝達する伝達部材３０２と、伝達部材３０２を介してソレノイド１６に連結される可動板１５ｄと、本体部３００に取り付けられて本体部３００への遊技球の進入を規制する揺動部材３５０と、第２始動入賞口１３ｂから進入した遊技球を検出する第２始動口スイッチ１４ｂと、から主に構成されている。
【００６７】
本体部３００は、透光性を有する合成樹脂材により形成された左右一対の通路部材３００ａ，３００ｂが組み合わされて構成されている。通路部材３００ａ，３００ｂのそれぞれは、前後方向に向けて立設される側壁３００ｃと該側壁３００ｃの対向面に（つまり、内側に）立設される複数の板部３００ｄとからなり、各通路部材３００ａ，３００ｂを互いに付き合わせることにより前面及び下面が開口する筒状の本体部３００が構成される。なお、図７に示す例では、板部３００ｄは、通路部材３００ａにのみ形成されているが、後述の図１３などに示すように通路部材３００ａ、３００ｂのそれぞれに形成されていてもよい。
【００６８】
本体部３００の内部には、図９〜図１１に示すように、前面の開口を進入口とする始動入賞通路３０５が形成されている。始動入賞通路３０５は、前面開口の進入口が第２始動入賞口１３ｂを構成し、第２始動入賞口１３ｂから後方に延設される第１通路３０５ａと、該第１通路３０５ａの後端に連続して下方に屈曲した屈曲部３０５ｃと、該屈曲部３０５ｃの下端に連続して下方に向けて延設される第２通路３０５ｂとからなる。
【００６９】
また、第１通路３０５ａの下部には、可動板１５ｄが前後方向に移動可能に収容される収容部３０６が、第１通路３０５ａから屈曲部３０５ｃにかけて設けられている。収容部３０６は、第１通路３０５ａよりも左右幅寸法が幅広とされている（図６、図１１参照）。また、第１通路３０５ａの上壁前部には、遊技球の通過は不可とするが上部を僅かに突出可能な大きさを有する凹部３１０が形成されており、遊技球の浮き上がりを僅かに許容できるようになっている（図１２（ａ）参照）。さらに、凹部３１０の左右両側壁には、左右方向に貫通する貫通孔３１４が形成されている。
【００７０】
第２通路３０５ｂにおける屈曲部３０５ｃの直下には、第２始動口スイッチ１４ｂが配設されており、この第２始動口スイッチ１４ｂによって第２通路３０５ｂを通過する遊技球が検出される。
【００７１】
また、始動入賞通路３０５の後方上部には、プランジャ３０８を前方に向けた状態でソレノイド１６が配設されている。プランジャ３０８の先端には連結部材３０９が取り付けられている。連結部材３０９は、下面に係合溝３０９ａが形成された下向きコ字形をなしており、その係合溝３０９ａに伝達部材３０２の連結軸３２１が挿通されている。
【００７２】
通路部材３００ａの側壁３００ｃ外面における開口３１０の後部に対応する位置には、伝達部材３０２を回動可能に支持する左右方向を向く回動軸３１１が立設されている。回動軸３１１の上方位置には、回動軸３１１を中心とする円弧状に形成された連結溝３１２が形成されている。
【００７３】
また、収容部３０６に対応する箇所には、可動板１５ｄを前後方向に移動案内するための案内溝３１３Ｌが前後方向に向けて延設されている。案内溝３１３Ｌは、側壁３００ｃの前端近傍位置から後方に向けて僅かに下側に傾斜して形成されている。
【００７４】
伝達部材３０２は棒状のアーム部材からなり、長手方向の略中心位置に回動軸３１１が挿通される軸孔３２０が形成されており、該回動軸３１１を中心として回動可能に通路部材３００ａに軸支される。上端には左右方向を向く連結軸３２１が内向きに突設され、下端には長手方向に長い長孔３２２が形成されている。
【００７５】
連結軸３２１は、軸孔３２０を回動軸３１１に挿通して通路部材３００ａに軸支された状態において、連結軸３２１が連結溝３１２を挿通して側壁３００ｃの内側に突出し、連結部材３０９の係合溝３０９ａに係合される。よって、ソレノイド１６の励磁及び解除に応じてプランジャ３０８が前後移動することにより、係合溝３０９ａに係合された連結軸３２１が連結溝３１２内を前後移動するため、伝達部材３０２が回動軸３１１を中心として回動する。
【００７６】
また、プランジャ３０８及び連結部材３０９の前方には、揺動部材３５０が取り付けられている。揺動部材３５０は、第１通路３０５ａの上壁前部の凹部３１０に設けられており、左右方向に延在する支軸３５１と、上端近傍が支軸３５１に連結する板状部３５２とからなる。揺動部材３５０は、支軸３５１が、本体部３００の凹部３１０の左右両側壁に形成された貫通孔３１４を挿通することによって軸支され、支軸３５１を中心として板状部材３５２が後方に揺動可能なように設けられている。
【００７７】
揺動部材３５０は、可動板１５ｄの進退状態にかかわらず、始動入賞通路３０５に進入しようとする遊技球と当接するように設けられている。具体的には、揺動部材３５０が遊技球からの球圧を受けていない初期状態で板状部材３５２の板面が略鉛直な方向に沿った姿勢のときに、板状部材３５２の下端と可動板１５ｄとの遊技盤面に沿った距離が遊技球の直径２Ｒよりも短くなるように構成されている。
【００７８】
揺動部材３５０は、連結部材３０９が後退位置にあるときには、支軸３５１を中心として後方に揺動可能な揺動可能状態（第２状態）となり、連結部材３０９が進出位置にあるときには、連結部材３０９が揺動部材３５０に当接して揺動できず、始動入賞通路３０５の上部を遮って遊技球の始動入賞通路３０５への進入を規制する規制状態（第１状態）に変化する。
【００７９】
揺動部材３５０の板状部３５２は、揺動部材３５０が揺動するときにベース部材３８０と干渉しないように上端前方部３５２ａが丸角に形成されている。また、板状部３５２の前面下端には、前方に突出する突出部３５２ｂが形成されている。突出部３５２ｂは、上方が前方に向けて下側に傾斜した傾斜面となっており、前端が鋭角な凸形状となっている。こうした形状によって、遊技球が突出部３５２ｂに接触したときに揺動部材３５０をスムースに後方に揺動させることができる。また、遊技球が揺動部材３５０の下方をくぐり抜けるときにも遊技球と揺動部材３５０との接触する部位が小さいので遊技球が移動する抵抗を小さくすることができ、始動入賞通路３０５における遊技球の移動をスムースにすることができる。
【００８０】
揺動部材３５０の支軸３５１は、板状部３５２が前後方向の中央よりも後方側を回転中心として揺動するように板状部３５２の上端後方に連結されている。これにより、板状部３５２は後方に揺動しやすくなっている。また、支軸３５１の各基部には、貫通孔３１４の径よりも大きい径のワッシャ部３５１ａが形成され、揺動部材３５０の左右方向のガタツキが防止されている。
【００８１】
揺動部材３５０の裏面には、板状部３５１の板面に平行（または略平行）な被当接面３５３が形成されている。図９（ａ）に示すように、ソレノイド１６のプランジャ３０８および連結部材３０９が前方に進出したときには、連結部材３０９の前面が揺動部材３５０の被当接面３５３に当接し、揺動部材３５０は、後方から連結部材３０９に当接されることによって後方に揺動できない状態とされる。一方、図９（ｂ）に示すように、プランジャ３０８および連結部材３０９が後退したときには、揺動部材３５０と連結部材３０９との当接が解除され、揺動部材３５０は支軸３５１を中心として後方に揺動できる状態となる。
【００８２】
カバー部材３０１は、左側の通路部材３００ａの外側に所定の隙間を隔てて取り付けられる左カバー３０１ａと、右側の通路部材３００ｂの外側に所定の隙間を隔てて取り付けられる右カバー３０１ｂと、通路部材３００ａの右カバー３０１ｂとの間に取り付けられるスペーサ３０１ｃと、から構成される。
【００８３】
左カバー３０１ａ及び右カバー３０１ｂの前端辺には取付片３３１が外向きに屈曲形成されており、該取付片３３１を介して遊技盤６の背面に可変入賞球装置１５を、第２始動入賞口１３ｂがベース部材２１０（遊技盤６）に形成された開口２１０ｂを介して前面側に臨むように取り付けできるようになっている（図２参照）。
【００８４】
また、左カバー３０１ａと通路部材３００ａの側壁３００ｃとの間に形成された空間部には、伝達部材３０２が回動可能に収容できるようになっている。回動軸３１１は、伝達部材３０２が挿通された状態において先端が軸孔３２０から突出する長さを有しており、左カバー３０１ａが取り付けられたときに、該左カバー３０１ａにおける回動軸３１１に対応する位置に形成された軸受３３０に回動可能に嵌合して、伝達部材３０２が軸支されるようになっている（図１１参照）。
【００８５】
可動板１５ｄは、図９に示すように、遊技領域７（この実施の形態では下側の領域）にて遊技球が進入可能な進入通路である始動入賞通路３０５の下部に前後移動可能に設けられる板状部材にて構成されており、始動入賞通路３０５から遊技領域７側に進出する進出位置（図９（ｂ）参照）と、該進出位置から始動入賞通路３０５内に退避する後退位置（図９（ａ）参照）と、の間で前後方向に往復移動可能に設けられる。
【００８６】
そして、可変入賞球装置１５は、可動板１５ｄが進出位置に位置することで遊技球が入賞しやすい開放状態（有利状態）となり、可動板１５ｄが後退位置に位置することで入賞しないまたは入賞しにくい閉鎖状態（不利状態）に変化するようになっている。
【００８７】
図８に示すように、可動板１５ｄは、上面に遊技球を受ける球受面３４０ａが形成された球受部３４０と、球受部３４０の左右側から後側に向けて延設される二股状の被案内部３４１と、から構成されている。
【００８８】
球受部３４０の上面には、前後左右方向に平坦な球受面３４０ａが形成され、上方から落下してくる遊技球を下方から受けることができるように形成されている。球受部３４０の先端面は、右側に向けて後側に傾斜するとともに、板厚下方向に向けて後側に傾斜する傾斜面３４０ｂにて構成されている。
【００８９】
これにより、可動板１５ｄが進出位置まで進出したときに、遊技領域７の前面に配設された前面部材２００との間に遊技球があっても、前面部材２００に対して傾斜面３４０ｂが傾斜していることにより遊技球が左右または下方に逃がされるため、前面部材２００と傾斜面３４０ｂとの間に遊技球が挟まれてしまい、ソレノイド１６等に負荷がかかってしまうことが防止される。
【００９０】
また、球受部３４０の右側前端には、上に凸となる球止め突起３４０ｂが形成されている。これにより、可動板１５ｄの右側から遊技球が零れ落ちてしまうのを抑制することができる。なお、球止め突起３４０ｂが球受部３４０の右側前端に形成されているのは、この実施形態では遊技球が演出表示装置９の左側を流下し、第２始動入賞口１３ｂの左側に位置する第１傾斜面部２０５側から第２始動入賞口１３ｂに遊技球が案内されやすくなっていることに基づく。なお、上述したように、第２始動入賞口１３ｂの右側に位置する第２傾斜面部２０６を遊技球が勢いよく移動したときには、第１傾斜面部２０５側に移動して第１傾斜面部２０５を流下して第２始動入賞口１３ｂに向けて遊技球が案内されるので、可動板１５ｄの左側から遊技球が零れる虞も少ない。
【００９１】
被案内部３４１は、球受部３４０の左右後端部から後方に向けて延設される左右一対の棒状部３４１ａ，３４１ｂからなるとともに、これら棒状部３４１ａ，３４１ｂの間には、遊技球の直径２Ｒよりも長寸の左右幅寸法Ｌ１を有し、後側に開放する切欠部３４２が形成されている（２Ｒ＜Ｌ１）。
【００９２】
棒状部３４１ａ，３４１ｂの外面には、案内溝３１３Ｌに挿入可能な前後一対の案内軸３４３ａ〜３４３ｄがそれぞれ前後位置から左右外向きに突設されている。各案内軸３４３ａ〜３４３ｄは円柱状をなしており、各基部には、案内溝３１３Ｌ，３１３Ｒの上下幅よりも幅広とするためのワッシャ部３４４が形成され、左右方向のガタツキが防止されている。
【００９３】
また、左側の棒状部３４１ａの前後の案内軸３４３ａ，３４３ｂ間は、板状の連結部３６０ａにて連結され、右側の棒状部３４１ｂの前後の案内軸３４３ｃ，３４３ｄ間は、板状の連結部３６０ｂにて連結されている。これにより、案内軸３４３ａ，３４３ｂ、３４３ｃ，３４３ｄの強度が増加するため、遊技球を受けた際の衝撃による破損等が防止される。
【００９４】
左側の案内軸３４３ａ，３４３ｂを連結する連結部３６０ａには、案内軸３４３ａ、３４３ｂの先端が突出するように、切欠凹部３６０ｃが形成されており、前側の案内軸３４３ａは、案内溝３１３Ｌを突出して伝達部材３０２の長孔３２２内に摺動可能に挿入される。つまり可動板１５ｄは、伝達部材３０２を介してソレノイド１６に連結される。よって、可動板１５ｄは、ソレノイド１６の励磁及び解除に応じてプランジャ３０８が前後移動して伝達部材３０２が回動軸３１１を中心として回動することで、進出位置と後退位置との間で前後移動する。尚、上述したように、伝達部材３０２は、プランジャ３０８に接続される連結軸３２１が上端に形成されるとともに可動板１５ｄに接続される長孔３２２が下端に形成され、略中央で可動軸３１１に軸支されて回動するので、可動板１５ｄは、プランジャ３０８が前方に進出したときに後退し、プランジャ３０８が後退したときに進出することになる。
【００９５】
案内軸３４３ａ〜３４３ｄ及び連結部３６０ａ，３６０ｂは、左右の案内溝３１３Ｌ，３１３Ｒにそれぞれ挿入され、可動板１５ｄの前後移動がガイドされる。具体的には、図９（ａ）に示すように、可動板１５ｄが進出位置にあるときには、球受面３４０ａのほぼ全域が第２始動入賞口１３ｂから前方の右領域７ｂ側に突出する。このときには、球受面３４０ａが第２始動入賞口１３ｂ側に僅かに傾倒（先端に向けて上側に傾斜）しているので、右領域７ｂを流下してくる遊技球を受けることが可能となるともに受けた遊技球を始動入賞通路３０５に向けて誘導可能な第１姿勢となる。また、このときには、揺動部材３５０が後方に揺動可能な状態（第２状態）となっており、始動入賞通路３０５に誘導される遊技球の球圧によって揺動部材３５０は後方に揺動し、始動入賞通路３０５の内部に進入する。
【００９６】
一方、可動板１５ｄが後退位置にあるときには、球受面３４０ａの全域が第２始動入賞口１３ｂの内部、つまり始動入賞通路３０５内に退避して、該右領域７ｂを流下してくる遊技球を受けることが困難となる。また、可動板１５ｄが後退位置にあるときには、揺動部材３５０に連結部材３０９が後方から当接して揺動部材３５０が後方に揺動できない規制状態（第１状態）となり、これにより揺動部材３５０が始動入賞通路３０５の上部を遮って遊技球の始動入賞通路３０５内への進入が規制される。
【００９７】
すなわち、可動板１５ｄが後退位置にあるときは、第２始動入賞口１３ｂの上下幅寸法Ｌ３（可動板１５ｄの前端上面と、始動入賞通路３０５の前面開口（進入口）の上側の縁部との距離）が遊技球の直径２Ｒよりも短くなり、可動板１５ｄが進出位置にあるときは、第２始動入賞口１３ｂの上下幅寸法Ｌ２（可動板１５ｄの球受面３４０ａと、始動入賞通路３０５の前面開口（進入口）の上側の縁部との遊技盤面に沿った距離）が遊技球の直径２Ｒよりも長くなる（Ｌ２＜２Ｒ＜Ｌ３）。よって、可動板１５ｄが後退位置にあるときには、第２始動入賞口１３ｂが完全に閉鎖されていなくても、第２始動入賞口１３ｂからの遊技球の進入が規制される。しかも、可動板１５ｄが後退位置にあるときには、プランジャ３０８および連結部材３０９が進出位置に位置して、揺動部材３５０が始動入賞通路３０５の上部を遮るので、揺動部材３５０によっても遊技球の始動入賞通路３０５内への進入が規制されて、遊技球の意図しない入賞や不正な入賞の発生が防止される。
【００９８】
なお、可動板１５ｄが後退位置にあるときには、可動板１５ｄの前端上面と始動入賞通路３０５の進入口の上側の縁部との距離が遊技球の直径２Ｒよりも長いものの、揺動できない規制状態の揺動部材３５０の下端と可動板１５ｄとの距離が遊技球の直径２Ｒよりも短くなるように構成されていてもよい。この場合においても、可動板１５ｄが後退位置にあるときに揺動部材３５０によって遊技球の始動入賞通路３０５への進入が規制されるので、遊技球の意図しない入賞などを防止することができる。
【００９９】
また、右領域７ｂを流下してくる遊技球を受けることが可能な進出位置では、第２始動入賞口１３ｂから球受面３４０ａの先端までの突出長さが遊技球の半径Ｒよりも長ければよい。また、右領域７ｂを流下してくる遊技球を受けることが困難な進出位置では、第２始動入賞口１３ｂから球受面３４０ａの先端までの突出長さが遊技球の半径Ｒよりも短ければよい。
【０１００】
続いて、可変入賞球装置１５の閉成動作に伴う遊技球の進入状況について説明する。可動板１５ｄが進出位置にある場合、球受面３４０ａが若干始動入賞通路３０５側に傾倒していることで、球受面３４０ａ上に落下した遊技球には始動入賞通路３０５側に向けて誘導される作用が働く（図１２（ａ）参照）。そして、このときには、揺動部材３５０が後方に揺動可能な状態（第２状態）となっており、始動入賞通路３０５に誘導された遊技球は、揺動部材３５０を押して後方に揺動させ、始動入賞通路３０５の内部に進入する（図１２（ｂ）参照）。
【０１０１】
ここで、この実施の形態では、プランジャ３０８および連結部材３０９が進出位置まで移動して可動板１５ｄが完全に始動入賞通路３０５内に収納されるまでは、連結部材３０９が揺動部材３５０に当接しないように構成されており、可動板１５ｄが進出位置から後退位置側に向けて退避移動している最中には、揺動部材３５０は揺動可能な状態（第２状態）となる。このため、可動板１５ｄの退避動作に伴って可動板１５ｄと揺動部材３５０との間に遊技球が挟まったとしても、揺動部材３５０が揺動して遊技球が移動することができるので、始動入賞通路３０５において球詰りが発生するのを抑制することができる。
【０１０２】
そして、可動板１５ｄが後退位置まで移動すると、第２始動入賞口１３ｂの上下幅寸法Ｌ３が遊技球の直径２Ｒよりも短くなるので、始動入賞通路３０５に進入した遊技球が第２始動入賞口１３ｂから零れ落ちなくなる。また、揺動部材３５０に連結部材３０９が当接して揺動部材３０９が揺動できない規制状態（第１状態）となり、遊技球の意図しない入賞や不正な入賞の発生が防止される（図１２（ｃ）参照）。
【０１０３】
ここで、可動板１５ｄが後退位置にて停止した状態において、可動板１５ｄの切欠部３４２が屈曲部３０５ｃ、つまり第２通路３０５ｂの直上に位置するようになっており、可動板１５ｄとともに移動した遊技球は、切欠部３４２を通じて第１通路３０５ａから第２通路３０５ｂに流入して第２始動口スイッチ１４ｂによって検出される。こうした切欠部３４２が形成されていることで、可動板１５ｄが屈曲部３０５ｃに対応する位置に配置されても、遊技球を切欠部３４２を介して第２通路３１３ｂに流入させることができるので、進入した遊技球を遠回りさせずに第２始動口スイッチ１４ｂにて検出させることが可能となる。
【０１０４】
よって、可変入賞球装置１５を大型化（特に前後方向について大型化）することなく、第２始動入賞口１３ｂに進入した遊技球を直ちに第２始動口スイッチ１４ｂにて検出させることが可能となるため、可動板１５ｄを動作させているときにも賞球検出待ちをする期間を極力短縮化でき、これにより大当り状態をより高速で消化することが可能となるため、パチンコ遊技機１の稼働率を向上させることができる。
【０１０５】
以上説明したように、本発明の実施の形態としてのパチンコ遊技機１にあっては、可動板１５ｄが進出位置にあるときは、可動板１５ｄによって遊技球が始動入賞通路３０５に導かれるとともに、始動入賞通路３０５に進入しようとうする遊技球の球圧によって揺動部材３５０が支軸３５１回りに後方に揺動して、遊技球が始動入賞通路３０５に進入することができる。
【０１０６】
一方、可動板１５ｄが後退位置にあるときには、球受面３４０ａの全域が第２始動入賞口１３ｂの内部、つまり始動入賞通路３０５内に退避して、第２大入賞口９０ｂの上下幅寸法Ｌ３が遊技球の直径２Ｒよりも短くなって遊技球が第２大入賞口９０ｂに進入することができなくなるとともに、揺動部材３５０に連結部材３０９が当接して揺動部材３５０が揺動不能となるので遊技球の始動入賞通路３０５内への進入が防止され、意図しない入賞や不正な入賞の発生が防止される。
【０１０７】
さらに、可動板１５ｄが進出位置から後退位置に移動するタイミングで遊技球が可動板１５ｄに受け止められた場合には、屈曲部３４０によって遊技球が始動入賞通路３０５内に導かれるので遊技球が零れ落ちてしまうのを抑制することができる。しかも、可動板１５ｄが完全に後方位置まで退避移動するまでは、連結部材３０９が揺動部材３５０に当接せずに揺動部材３５０が揺動可能な状態（第２状態）とされるので、可動板１５ｄと揺動部材３５０とによって遊技球を噛み込んで始動入賞通路３０５で球詰りが生じてしまうのを抑制することができる。
【０１０８】
また、始動入賞通路３０５は、後退位置側に形成された屈曲部３０５ｃから下方に向けて延設される第２通路３０５ｂと、第２通路３０５ｂを流下する遊技球を検出する第２始動口スイッチ１４ｂと、を有し、可動板１５ｄは、案内軸３４３ｂ，３４３ｄよりも進出位置側に突設され、進出位置と後退位置との間で第１案内部３１３ａにのみ案内される補助被案内部としての案内軸３４３ａ，３４３ｃを有し、後退位置において屈曲部３０５ｃに対応する部位に、遊技球が通過可能な切欠部３４２が形成されているので、可動板１５ｄが屈曲部３０５ｃに対応する位置に配置されても、遊技球を切欠部３４２を介して第２通路３０５ｂに流入させることができるので、進入した遊技球を遠回りさせずに第２始動口スイッチ１４ｂにて検出させることが可能となる。
【０１０９】
尚、この実施の形態では、可動板１５ｄの後部には切欠部３４２が形成されていたが、遊技球を通過可能となれば、例えば開口部（孔部）等であってもよい。
【０１１０】
また、この実施の形態では、球受面３４０ａは、移動方向に対し直交する幅方向（左右方向）に向けて平坦状に形成されていたが、移動方向に対し直交する幅方向（左右方向）の略中央から両端側に向けて上向きに傾斜する幅方向傾斜部（図示略）を設けてもよい。このようにすることで、進出位置にて受けた遊技球が幅方向の端部からこぼれ落ちにくくすることができる。
【０１１１】
また、駆動手段は、可変入賞球装置１５の本体部３００内に配設されるソレノイド１６と、一端がソレノイド１６に連結されるとともに他端が可動板１５ｄに連結され、本体部３００外部に回動軸３１１を中心として回動可能に設けられた伝達部材３０２と、を含み、可動板１５ｄは、移動方向に並設される案内軸３４３ａ〜３４３ｄ及び連結部３６０ａ，３６０ｂにより安定して支持される。また、案内軸３４３ａ〜３４３ｄのいずれか（この実施の形態では案内軸３４３ａ）が伝達部材３０２との連結部を兼ねることで、部品点数が少なくなり製造コストを低減できるばかりか、伝達部材３０２を極力短寸化して装置を小型化することができる。
【０１１２】
また、伝達部材３０２は、本体部３００を外側から覆うカバー部材３０１の左カバー３０１ａにより覆われていることで、伝達部材３０２を外側から不正に操作して可動板１５ｄを動作させるといった不正行為を抑制することができる。
【０１１３】
さらに、伝達部材３０２は、本体部３００と左カバー３０１ａとの間に形成された空間部内に配設され、少なくとも回動軸３１１の左端が軸受３３０に回動可能に軸支されていることで、左カバー３０１ａを取り外して伝達部材３０２を外側から不正に操作して可動板１５ｄを動作させようとしても、左カバー３０１ａを取り外すことで伝達部材３０２の回動支持状態が解除されて回動動作が不安定になるので、不正行為を防止できる。
【０１１４】
また、この実施の形態では、可動板１５ｄは、被案内部としての案内軸３４３ｂ，３４３ｄと補助案内部としての案内軸３４３ａ，３４３ｃとにより左右側が支持されていたが、被案内部や補助案内部が左右それぞれに複数設けられていてもよい。
【０１１５】
また、この実施の形態では、伝達部材３０２を介して可動板１５ｄとソレノイド１６が接続され、ソレノイド１６のプランジャ３０８が前方に進出するときには可動板１５ｄが後退し、プランジャ３０８が後退するときには可動板１５ｄが前方に進出するように構成されるのとしたが、例えば可動板１５ｄの後端を左右方向を向く連結軸を介してソレノイド等の駆動手段に連結し、被案内部としての案内軸のみを案内溝３１３Ｌ，３１３Ｒに案内させるようにしてもよい。この場合には、プランジャ３０８の前方への進出移動に伴って可動板１５ｄが前方に進出し、プランジャ３０８の後方への退避移動に伴って可動板１５ｄが後方に進出する。また、この場合には、プランジャ３０８が前方に進出するときには揺動部材３５０が揺動不能な状態（または揺動し難い状態）とされ、プランジャ３０８が後退するときには揺動部材３５０が揺動可能な状態となるように構成すればよい。
【０１１６】
尚、この実施の形態では、本発明の案内部は、左右それぞれ１本の案内溝３１３Ｌ，３１３Ｒにて構成され、被案内部としての案内軸３４３ｂ，３４３ｄと、補助被案内部としての案内軸３４３ａ，３４３ｃと、案内軸３４３ａ，３４３ｃや案内軸３４３ｂ，３４３ｄを連結する連結部３６０ａ，３６０ｂが案内溝３１３Ｌ，３１３Ｒに案内されていたが、連結部３６０ａ，３６０ｂを設けないものとして、案内軸３４３ｂ，３４３ｄと案内軸３４３ａ，３４３ｃとはそれぞれ別個の案内溝にて構成されていてもよい。
【０１１７】
また、この実施の形態では、可動板１５ｄ側に被案内部としての案内軸３４３ｂ，３４３ｄが形成され、本体３００側に案内部としての案内溝３１３Ｌ，３１３Ｒが形成されていたが、可動板１５ｄ側に案内部としての案内溝３１３Ｌ，３１３Ｒが形成され、本体３００側に被案内部としての案内軸３４３ｂ，３４３ｄが形成されていてもよい。
【０１１８】
また、可動板１５ｄの駆動手段も、ソレノイドと回動可能に設けられた伝達部材に限定されるものではなく、例えば駆動源としてモータを適用するとともに、該モータの駆動力をギヤ部材等により伝達すること（例えば、ラックとピニオン）により進退移動及び姿勢変更可能としてもよい。
【０１１９】
また、この実施の形態では、可動板１５ｄを進退させるソレノイド１６が駆動されることにより揺動部材３５０が揺動可能な状態（第２状態）と揺動不能な状態（第１状態）とに変更されるものとしたが、ソレノイド２１とは別に、揺動部材３５０を揺動可能な状態と揺動不能な状態（または揺動し難い状態）とに変更する駆動源を備えてもよい。この場合、ソレノイド１６によって可動板１５ｄが進出位置から後退位置に移動したタイミングよりも後のタイミングにおいて、揺動部材３５０を揺動可能な状態（第２状態）から揺動不能な状態または揺動し難い状態（第１状態）に変更するように、主基板３１が別の駆動源を制御してもよい。こうすれば、揺動部材３５０が揺動可能な状態（第１状態）から揺動不能な状態（第２状態）に変化するタイミングが可動板１５ｄが後退位置に移動するタイミングよりも遅いので、始動入賞通路３０５において遊技球の噛み込みが発生するのをより確実に抑制することができる。
【０１２０】
また、揺動部材３５０を揺動可能な状態と揺動不能な状態（または揺動し難い状態）とに変更する駆動源として、可動板１５ｄを駆動するソレノイド２１とは別のソレノイドを備えてもよい。この場合には、別のソレノイドのプランジャを付勢するバネ（コイルスプリング）は、可動板１５ｄを後退させるソレノイド２１のバネ（図示せず）よりも付勢力が小さく設計されてもよい（例えば、コイルスプリングの巻き数を少なくするなど）。こうすれば、可動板１５ｄが後退して揺動部材３５０が揺動不動な状態に変更されるときに、可動板１５ｄを後退させる力よりも揺動部材３５０を揺動不能な状態にする力の方が小さくなる。そのため、可動板１５ｄの後退に伴って遊技球が始動入賞通路３０５に引き込まれたときに、遊技球の球圧よりも揺動部材３５０を揺動不能な状態にする力の方が小さいので、揺動部材３５０が揺動して、始動入賞通路３０５において球詰りが発生するのを抑制することができる。
【０１２１】
次に、第１変形例としての可変入賞球装置１０１５について図１３〜図１５に基づいて説明する。図１３は、（ａ）は第１変形例の第２特別可変入賞球装置の開放状態を示す斜視図であり、（ｂ）はベース部材を介して第１変形例の第２特別可変入賞球装置を示す斜視図である。図１４は、（ａ）は第１変形例の可動板を示す斜視図、（ｂ）は平面図、（ｃ）は（ｂ）のＤ−Ｄ断面図、（ｄ）は（ｂ）のＥ−Ｅ断面図である。図１５は、第１変形例における第２特別可変入賞球装置の遊技球の移動を説明するための図である。
【０１２２】
尚、第１変形例および後述する第２変形例、第３変形例としての特別可変入賞球装置１０１５、２０１５、３０１５については、可変入賞球装置１５と相違する部位に関する図示と説明をし、同一の構成部位に関しては同様の符号を付すこと等により説明を省略することとする。
【０１２３】
第１変形例の可動板１５ｄは、図２１（ｂ）に示すように、球受部３４０は、傾斜面３４０ｂ，３４０ｃと左右側辺との間の角部が湾曲状に形成されているとともに、球受面３４０ａにおける前後方向の略中央位置よりも前側の領域が、後側よりも先端側に向けて上方に屈曲する屈曲部３４０ｄとされている。このように球受部３４０の先端側に後側よりも傾斜角度が大きい屈曲部３４０ｄが形成されていることで、球受面３４０ａの先端側で受けた遊技球が第２大入賞口２０ｃ側に向けて誘導されやすくなるため、退避移動時に遊技球を引き込みやすくなる。
【０１２４】
また、第１変形例の特別可変入賞球装置１０１５は、揺動部材３５０に代えて揺動部材１３５０が取り付けられている点で、上述した可変入賞球装置１５と相違する。第１変形例の揺動部材１３５０は、前後方向に伸縮可能なコイル状のスプリング３５４と、スプリング３５４の後端に取り付けられて連結部材３０９と当接する後方支持部材３５５とからなる。揺動部材１３５０は、スプリング３５４の内側に、ベース部材３８０の裏面に形成された図示しない支軸が挿通して、ベース部材３８０と連結部材３０９とに挟まれて支持される。スプリング３５４は、揺動部材３５０と同様に、可動板１５ｄの進退状態にかかわらず第２始動入賞口１３ｂに進入しようとする遊技球と接触するように、前端部が第２始動入賞口１３ｂの上側縁部よりも下方に突出して設けられている（図１３（ｂ）参照）。つまり、揺動部材１３５０は、スプリング３５４の前端部の下端と、可動板１５ｄの球受面３４０ａとの遊技盤面に沿った距離が遊技球の直径２Ｒよりも小さくなるように形成されている。
【０１２５】
第１変形例の特別可変入賞球装置１０１５では、可動板１５ｄが進出位置に位置するときには、図１４（ａ）および（ｂ）に示すように、プランジャ３０８先端の連結部材３０９が後方に位置して、スプリング３５４が第２始動入賞口１３ｂに進入しようとする遊技球の球圧によって伸縮可能な状態（第２状態）となる。上述したように、可動板１５ｄや案内溝３１３Ｌ，３１３Ｒは、後方に向かって下側に若干傾いて形成されており、第２始動入賞口１３ｂに進入しようとする遊技球の球圧によってスプリング３５４が後方に縮むと、スプリング３５４の下端と可動板１５ｄとの距離（始動入賞通路３０５の上下幅寸法）が遊技球の直径２Ｒよりも大きくなる（図１４（ｂ）参照）。これにより、遊技球が揺動部材１３５０の下方を通って始動入賞通路３０５を通過することができ、通過した遊技球が第２始動口スイッチ１４ｂにて検出されることになる。
【０１２６】
一方、可動板１５ｄが後退位置にあるときには、図１４（ｃ）に示すように、プランジャ３０８先端の連結部材３０９が前方に位置して、ベース部材３８０と連結部材３０９とによりスプリング３５４が縮められ、スプリング３５４がそれ以上縮められにくい状態（第１状態）となる。これにより、揺動部材１３５０が始動入賞通路３０５の上部を遮って遊技球の始動入賞通路３０５内への進入が規制される。
【０１２７】
続いて、特別可変入賞球装置１０１５の閉成動作に伴う遊技球の進入状況について説明する。可動板１５ｄが進出位置から後退位置側に向けて退避移動を開始すると、球受部３４０の先端側に後側よりも傾斜角度が大きい屈曲部３４０ｄが形成されているので、可動板１５ｄの退避移動により、球受面３４０ａ上に載った遊技球が屈曲部３４０ｄに誘導されて始動入賞通路３０５側に引き込まれる。このとき、連結部材３０９の前方への移動に伴って、スプリング３５４は徐々に縮められるので、可動板１５ｄが進出位置から後退位置側に向けて退避移動している最中には、揺動部材１３５０は、未だ始動入賞通路３０５に進入する遊技球の球圧によって多少縮むことができる状態とされる。このため、可動板１５ｄが進出位置から後退位置に向けて移動している最中に可動板１５ｄと揺動部材１３５０との間に遊技球が挟まったとしても、スプリング３５４が縮むことによって遊技球が始動入賞通路３０５を通過することができるので、始動入賞通路３０５において遊技球の噛み込みが発生するのを抑制することができる。
【０１２８】
次に、第２変形例としての特別可変入賞球装置２０１５について図１５および図１６に基づいて説明する。図１５は、（ａ）は第２変形例の第２特別可変入賞球装置の開放状態を示す斜視図であり、（ｂ）はベース部材を介して第１変形例の第２特別可変入賞球装置を示す斜視図である。図１６は、第２変形例における第２特別可変入賞球装置の遊技球の移動を説明するための図である。
【０１２９】
第２変形例の特別可変入賞球装置２０１５は、揺動部材３５０，１３５０に代えて揺動部材２３５０が取り付けられている点で、上述した可変入賞球装置１５、１０１５と相違する。第２変形例の揺動部材２３５０は、前後方向に伸縮可能なコイル状のスプリング３５６と、スプリング３５６の前端に取り付けられて始動入賞通路３０５の上部を遮る規制板３５７とからなる。規制板３５７は、中央に円形の貫通孔が形成された円形板状の部材からなり、揺動部材２３５０は、規制板３５７及びスプリング３５６の内側に、ベース部材３８０の裏面に形成された図示しない支軸が挿通して、ベース部材３８０と連結部材３０９とに挟まれて支持される。規制板３５７は、第２始動入賞口１３ｂに進入しようとする遊技球と接触するように、前端部が第２始動入賞口１３ｂの上側縁部よりも下方に突出して設けられている（図１５（ｂ）参照）。つまり、揺動部材１３５０は、規制板３５７の前端部の下端と、可動板１５ｄの球受面３４０ａとの距離（第２始動入賞口１３ｂの上下幅寸法）が遊技球の直径２Ｒよりも小さくなるように設けられている。また、第２変形例におけるスプリング３５６は、後端が連結部材３０９に固着されている。なお、スプリング３５６としては、規制板３５７の径と同じ又は小さい径ものが用いられればよく、図１５及び図１６に示す例では、規制板３５７よりも小さい径のスプリング３５６が用いられている。
【０１３０】
第２変形例の特別可変入賞球装置２０１５では、可動板１５ｄが進出位置に位置するときには、図１６（ａ）および（ｂ）に示すように、プランジャ３０８先端の連結部材３０９が後方に位置して、第２始動入賞口１３ｂに進入しようとする遊技球の球圧によってスプリング３５６が伸縮可能な状態となり、規制板３５７が前後に進退可能な状態（第２状態）となる。そして、第１変形例と同様に、第２始動入賞口１３ｂに進入しようとする遊技球の球圧によってスプリング３５６が縮んで規制板３５７が後方に移動すると、規制板３５７の下端と可動板１５ｄとの距離（始動入賞通路３０５の上下幅寸法）が遊技球の直径２Ｒよりも大きくなる（図１６（ｂ）参照）。これにより、遊技球が揺動部材２３５０の下方を通って始動入賞通路３０５を通過することができ、通過した遊技球が第２始動口スイッチ１４ｂにて検出されることになる。
【０１３１】
一方、可動板１５ｄが後退位置にあるときには、図１６（ｃ）に示すように、プランジャ３０８先端の連結部材３０９が前方に位置して、ベース部材３８０と連結部材３０９とによりスプリング３５６が縮められ、スプリング３５６がそれ以上縮められにくい状態となり、規制板３５７が後方に移動できない状態（第１状態）となる。これにより、揺動部材２３５０が始動入賞通路３０５の上部を遮って遊技球の始動入賞通路３０５内への進入が規制される。
【０１３２】
続いて、特別可変入賞球装置１０１５の閉成動作に伴う遊技球の進入状況について説明する。可動板１５ｄが進出位置から後退位置側に向けて退避移動を開始すると、球受面３４０ａ上に載った遊技球が屈曲部３４０ｄに誘導されて始動入賞通路３０５側に引き込まれる。このとき、連結部材３０９の前方への移動に伴って、スプリング３５６は徐々に縮められ、可動板１５ｄが進出位置から後退位置側に向けて退避移動している最中には、揺動部材２３５０は、未だ始動入賞通路３０５に進入する遊技球の球圧によって多少縮むことができる状態とされる。このため、可動板１５ｄが進出位置から後退位置に向けて移動している最中に可動板１５ｄと揺動部材２３５０との間に遊技球が挟まったとしても、規制板３５７が後方に移動するによって遊技球が始動入賞通路３０５を通過することができるので、始動入賞通路３０５において遊技球の噛み込みが発生するのを抑制することができる。
【０１３３】
なお、第１変形例では、スプリング３５４の後端に、連結部材３０９と当接する後方支持部材３５５が設けられるものとしたが、後方支持部材３５５と連結部材３０９が一体に形成されたりスプリング３５４が連結部材３０９に固着されるものとしてもよいし、後方支持部材３５５を備えることなくスプリング３５４の後端に連結部材３０９が当接するように構成されてもよい。また、第２変形例では、スプリング３５６の後端が連結部材３０９に固着されるものとしたが、スプリング３５６の後端に連結部材３０９が当接するように構成されてもよいし、第１変形例と同様にスプリング３５６の後端に連結部材３０９と当接する後方支持部材が設けられてもよい。
【０１３４】
また、第１変形例と第２変形例では、スプリング３５４，３５６が前後方向に伸縮可能に配設されるものとしたが、こうした例に限定されるものではなく、例えば後方に向かって若干上側に傾いて伸縮可能に配設されてもよい。こうすれば、遊技球の球圧によってスプリング３５４，３５４が上側に傾いて縮むので、遊技球が揺動部材の下を通過しやすなり、遊技球の移動をスムースにすることができる。
【０１３５】
次に、第３変形例としての第２特別可変入賞球装置について、図１７及び図１８に基づいて説明する。図１７は、（ａ）は変形例としての可動板を示す斜視図、（ｂ）は平面図、（ｃ）は（ｂ）のＥ−Ｅ断面図、（ｄ）は（ｂ）のＦ−Ｆ断面図である。図１８は、図１７の可動板が進出位置から後退位置に退避する際の遊技球の進入状況を示す断面図である。
【０１３６】
第３変形例の第２特別可変入賞球装置の可動板１５ｄ’は、上面に遊技球を受ける球受面３４０ａが形成された球受部３４０と、球受部３４０の左右側から後側に向けて延設される二股状の被案内部３４１と、から構成されている。可動板１５ｄと相違する点は、球受部３４０の形状と、前後の案内軸３４３ａ，３４３ｂ、３４３ｃ，３４３ｄ間が板状の連結部材３６０ａ，３６０ｂにて連結されていない点である。
【０１３７】
図１８（ａ）〜（ｃ）に示すように、案内溝３１３Ｌ’，３１３Ｒ’は、可動板１５ｄの移動方向（前後方向）に向けて延設される第１案内部３１３ａと、第１案内部３１３ａよりも後側に該第１案内部３１３ａに対し傾斜して設けられる第２案内部３１３ｂと、第２案内部３１３ｂよりも後側に第１案内部３１３ａに対し略平行に形成された第３案内部３１３ｃと、から構成されている。
【０１３８】
具体的には、第１案内部３１３ａは、本体部３００の側壁３００ｃの前端近傍位置から後方に向けて僅かに下側に傾斜するように延設される直線状の案内溝である。第２案内部３１３ｂは、第１案内部３１３ａの後端から連設され、第１案内部３１３ａよりも傾斜角度が大きい案内溝であり、屈曲部３０５ｃに対応する位置に形成されている。第３案内部３１３ｃは、第２案内部３１３ｂの後端から連設され、第１案内部３１３ａに対し略平行に延設される直線状の案内溝であり、第１案内部３１３ａよりも短寸とされている。
【０１３９】
この案内溝３１３Ｌ’，３１３Ｒ’に可動板１５ｄ’の案内軸３４３ａ，３４３ｂ、３４３ｃ，３４３ｄがそれぞれ挿入され、被案内部３４１の前後左右の４点が案内溝３１３Ｌ，３１３Ｒにより支持されることで、前後移動時に姿勢が維持されるようになっている。
【０１４０】
具体的には、図１８（ａ）に示すように、可動板１５ｄ’が進出位置にあるときには、全ての案内軸３４３ａ〜３４３ｄが第１案内部３１３ａに案内される。この状態において可動板１５ｄ’は、球受面３４０ａのほぼ全域が第２始動入賞口１３ｂから前方の右領域７ｂ側に突出して、該右領域７ｂを流下してくる遊技球を受けることが可能となるとともに、球受面３４０ａが第２始動入賞口１３ｂ側に僅かに傾倒（先端に向けて上側に傾斜）して受けた遊技球を第２始動入賞口１３ｂ側に誘導可能な第１姿勢となる。
【０１４１】
また、可動板１５ｄ’が退避位置にあるときには、前側の案内軸３４３ａ、３４３ｃが第１案内部３１３ａに案内され、後側の案内軸３４３ｂ、３４３ｄが第１案内部３１３ａよりも下方位置にある第３案内部３１３ｃに案内される。この状態において可動板１５ｄ’は、球受面３４０ａの全域が第２始動入賞口１３ｂの内部、つまり始動入賞通路３０５内に退避して、該右領域７ｂを流下してくる遊技球を受けることが困難となるとともに、球受面３４０ａが第１姿勢よりも始動入賞通路３０５側に傾倒して、第２始動入賞口１３ｂから進入した遊技球を始動入賞通路３０５内に進入不可とする第２姿勢となる。
【０１４２】
すなわち、可動板１５ｄ’が進出位置にあるときは、第２始動入賞口１３ｂの上下幅寸法Ｌ３が遊技球の直径２Ｒよりも長いが、可動板１５ｄ’が退避位置にあるときは、可動板１５ｄが傾倒して第２姿勢になることで、球受面３４０ａの先端が上向きになって第２始動入賞口１３ｂの上下幅寸法Ｌ４が遊技球の直径２Ｒよりも短くなる。よって、退避位置において第２始動入賞口１３ｂが完全に閉鎖されていなくても、第２始動入賞口１３ｂからの遊技球の進入が規制されるので、遊技球を不正に入賞させることを防止できる。
【０１４３】
また、退避位置においては、後側の案内軸３４３ｂ、３４３ｄが第１案内部３１３ａよりも下方位置にある第３案内部３１３ｃに案内されていることで、案内軸３４３ｂ、３４３ｄが第３案内部３１３ｃの上縁辺に当接し、前側の案内軸３４３ａ、３４３ｃを中心とする可動板１５ｄ’の回転が規制されるため、球受部３４０の先端を強制的に押し下げて第２始動入賞口１３ｂの間口を広げることが困難となるため、遊技球を不正に入賞させることを防止できる。
【０１４４】
また、進出位置から退避位置側に向けて退避移動する途中において、前側の案内軸３４３ａ、３４３ｃが第１案内部３１３ａに案内され、後側の案内軸３４３ｂ、３４３ｄが第２案内部３１３ｂに差し掛かると、可動板１５ｄは、球受面３４０ａの約２／３以上の領域が始動入賞通路３０５内に退避して、該右領域７ｂを流下してくる遊技球を受けることが困難な状態となる（図１８（ｂ）参照）。
【０１４５】
そして、さらに退避移動を続けて後側の案内軸３４３ｂ、３４３ｄが第２案内部３１３ｂにより下方に移動案内されていくことで、球受面３４０ａが前側の案内軸３４３ａ、３４３ｃを中心として回転することにより、第１姿勢から第２姿勢に漸次変更されていく。
【０１４６】
このように可動板１５ｄは、進出位置から退避位置まで移動する途中で第１姿勢から第２姿勢に姿勢が変更されるようになっている。特に第３変形例では、退避位置の直前において後側の案内軸３４３ｂ、３４３ｄが第２案内部３１３ｂにより徐々に下方に移動案内されていくため、球受面３４０ａがほぼ退避してから姿勢変更する。すなわち、ある程度遊技球を始動入賞通路３０５内に引き込んだ状態で姿勢変更されるようになっている。
【０１４７】
また、このように案内軸３４３ａ〜３４３ｄのうち前側の案内軸３４３ａ、３４３ｃは、進出位置と退避位置との間で第１案内部３１３ａにしか移動案内されない案内軸であり、後側の案内軸３４３ｂ、３４３ｄは第１案内部３１３ａ、第２案内部３１３ｂ、第３案内部３１３ｃに移動案内される案内軸である。つまり、可動板１５ｄ’は、前側の案内軸３４３ａ、３４３ｃを中心として後側の案内軸３４３ｂ、３４３ｄが上下に移動することにより上下方向に回転して姿勢変更する。
【０１４８】
また、案内軸３４３ａ〜３４３ｄのうち前側の案内軸３４３ａのみ、伝達部材３０２を介してソレノイド１６に連結される駆動伝達軸とされている。また、この実施の形態の場合、図１８に示すように、前側の案内軸３４３ａ、３４３ｃは、進出位置及び退避位置のいずれも回動軸３１１からの距離Ｐ１はほぼ同じであるが、後側の案内軸３４３ｂ、３４３ｄは、退避位置において、回動軸３１１からの距離Ｐ２が進出位置よりも長くなるとともに、距離Ｐ１よりも距離Ｐ２の方が長い。
【０１４９】
よって、可動板１５ｄ’は、移動方向に並設される被案内部としての後側の案内軸３４３ｂ、３４３ｄと補助被案内部としての前側の案内軸３４３ａ、３４３ｃとにより安定して支持されるとともに、退避位置側の案内軸３４３ｂ、３４３ｄが第２案内部３１３ｂに差し掛かると、進出位置側の案内軸３４３ａ、３４３ｃを中心として回動することで第２姿勢に変更される。この第３変形例における可動板１５ｄ’によっても、上述した可動板１５ｄと同様に遊技球の始動入賞通路３０５への進入率を調整することができる。
【０１５０】
尚、第２姿勢のまま進出位置に進出させる場合、第１姿勢のまま進出位置に進出させる場合に比べて進出位置側への移動量を増加させないと、落下してくる遊技球を受ける間口が小さくなるため、可動板１５ｄ’のように、第１姿勢で進出させて退避動作の途中で姿勢を第２姿勢に変更する方が好ましい。
【０１５１】
また、可動板１５ｄ’が退避動作を開始して直ぐに姿勢変更する場合、未だ始動入賞通路３０５内に引き込まれていない遊技球が姿勢変更により上方に浮き上がってしまう虞がある。よって、始動入賞通路３０５内に引き込まれ始めた遊技球を奥側に押し込むタイミングで姿勢変更されることが好ましい。
【０１５２】
具体的には、例えば第２始動入賞口１３ｂからの球受面３４０ａの突出長さが、進出位置における突出長さに対して約１／２以下になったときに姿勢変更されるようにすることが好ましい。あるいは、第２始動入賞口１３ｂからの球受面３４０ａの突出長さが、遊技球の半径Ｒ以下になったときに姿勢変更されるようにすることが好ましい。
【０１５３】
また、案内溝３１３Ｌ，３１３Ｒは、第２案内部３１３ｂよりも退避位置側に第１案内部３１３ａに対し略平行に形成された第３案内部３１３ｃを有し、可動板１５ｄは、退避位置で案内軸３４３ｂ，３４３ｄが第３案内部３１３ｃに案内されることにより、第２姿勢に維持されることで、退避位置にて傾倒する可動板１５ｄの遊技領域７側の端部を押し下げても、第３案内部３１３ｃにより案内軸３４３ｂ，３４３ｄの回動が規制されるため、可動板１５ｄを始動入賞通路３０５内から強制的に進出させるといった不正行為を抑制できる。
【０１５４】
また、始動入賞通路３０５は、退避位置側に形成された屈曲部３０５ｃから下方に向けて延設される第２通路３０５ｂと、第２通路３０５ｂを流下する遊技球を検出する第２始動口スイッチ１４ｂと、を有し、可動板１５ｄは、案内軸３４３ｂ，３４３ｄよりも進出位置側に突設され、進出位置と退避位置との間で第１案内部３１３ａにのみ案内される補助被案内部としての案内軸３４３ａ，３４３ｃを有し、退避位置において屈曲部３０５ｃに対応する部位に、遊技球が通過可能な切欠部３４２が形成されているとともに、該切欠部３４２に対応する位置に案内軸３４３ｂ，３４３ｄが突設されていることで、可動板１５ｄは、移動方向に並設される案内軸３４３ｂ，３４３ｄと案内軸３４３ａ，３４３ｃとにより安定して支持されるとともに、退避位置側の案内軸３４３ｂ，３４３ｄが第２案内部３１３ｂに差し掛かると、進出位置側の案内軸３４３ａ，３４３ｃを中心として回動することで第２姿勢に変更される。
【０１５５】
このように可動板１５ｄの姿勢を安定化させるとともに、補助被案内部としての案内軸３４３ａ，３４３ｃを中心として姿勢を傾倒させやすくするために案内軸３４３ｂ，３４３ｄと案内軸３４３ａ，３４３ｃとを極力離間させようとすると、可動板１５ｄが移動方向に長寸となり、退避位置において屈曲部３０５ｃを閉鎖してしまうことになるが、可動板１５ｄが屈曲部３０５ｃに対応する位置に配置されても、遊技球を切欠部３４２を介して第２通路３０５ｂに流入させることができるので、進入した遊技球を遠回りさせずに第２始動口スイッチ１４ｂにて検出させることが可能となる。
【０１５６】
また、第３変形例では、退避位置において第２姿勢に維持されるようになっていたが、退避動作の途中で姿勢が変更されるようになっていれば、必ずしも退避位置において第２姿勢に維持されなくてもよい。
【０１５７】
また、この実施の形態では、進出動作及び退避動作双方において、動作途中で姿勢が変更するように構成されていたが、少なくとも退避動作においてのみ姿勢が変更するようになっていれば、進出動作途中で姿勢が変更されないように構成してもよい。
【０１５８】
尚、第３変形例における可動板１５ｄ’や案内溝３１３Ｌ，３１３Ｒは、第１変形例、第２変形例の可変入賞球装置１０１５、２０１５にも適用可能である。つまり、この実施の形態で説明した可変入賞球装置１５や第１変形例〜第３変形例で説明した内容は、それぞれに組み合わせて適用することができる。
【０１５９】
また、この実施の形態では、本発明を可変入賞球装置１５に適用した例を説明したが、特別可変入賞球装置２０、可変入賞球装置１５や他の入賞口にも本発明を適用可能である。また、この実施の形態では、遊技領域７が演出表示装置９の左側と下側に形成されるものに本発明を適用して説明したが、例えば、遊技領域７が演出表示装置９の左右両側を含めた周囲に形成されるものに本発明を適用してもよい。
【０１６０】
以上、本発明の実施の形態を図面により説明してきたが、具体的な構成はこれら実施の形態に限られるものではなく、本発明の要旨を逸脱しない範囲における変更や追加があっても本発明に含まれる。
【０１６１】
また、前記実施の形態では、遊技媒体の一例として、球状のパチンコ球（遊技球）が適用されていたが、球状の遊技媒体に限定されるものではなく、例えばメダル等の非球状の遊技媒体であってもよい。
【符号の説明】
【０１６２】
１              パチンコ遊技機
１３ｂ          第２始動入賞口
１４ａ          第２カウントスイッチ
１５            可変入賞球装置
１５ｄ          可動板
１６            ソレノイド
２００          前面部材
２０５          第１傾斜面部
２０５ａ        誘導部
２０５ｂ        再誘導部
２０６          第２傾斜面部
３０２          伝達部材
３０５          大入賞通路
３１３Ｌ，３１３Ｒ  案内溝
３１３ａ        第１案内部
３１３ｂ        第２案内部
３１３ｃ        第３案内部
３４０          球受部
３４０ａ        球受面
３４０ｄ        屈曲部
３４１          被案内部
３４２          切欠部
３４３ａ〜３４３ｄ  案内軸
３５０          揺動部材
３５１          支軸
３５２          板状部
３５４          スプリング
３５５          後方支持部材
３５６          スプリング
３５７          規制板
３８０          ベース部材
３８４          支持用部材
３８５          接触部
【図１】
2014018248.tif 000003
【図２】
2014018248.tif 000004
【図３】
2014018248.tif 000005
【図４】
2014018248.tif 000006
【図５】
2014018248.tif 000007
【図６】
2014018248.tif 000008
【図７】
2014018248.tif 000009
【図８】
2014018248.tif 000010
【図９】
2014018248.tif 000011
【図１０】
2014018248.tif 000012
【図１１】
2014018248.tif 000013
【図１２】
2014018248.tif 000014
【図１３】
2014018248.tif 000015
【図１４】
2014018248.tif 000016
【図１５】
2014018248.tif 000017
【図１６】
2014018248.tif 000018
【図１７】
2014018248.tif 000019
【図１８】
2014018248.tif 000020
【図１９】
2014018248.tif 000021